(57)【要約】  治療に理想とされる理想患者位置と、治療中の想定平均ホウ素濃度と、各々の患者に特有のその患者が治療中に取る確率が高いと想定される少なくとも１以上の想定患者位置と、各想定患者位置における付与線量を算出する算出手段により算出された想定患者位置付与線量と、を記憶しておく記憶手段を備え、実治療中に、患者位置計測システムから患者位置変動の信号を受信すると、当該患者位置に最も近い想定患者位置を選択し、当該想定患者位置とともに、当該想定患者位置における付与線量を、ＢＮＣＴシステムにおける中性子線照射制御システムに送信するＢＮＣＴ用治療計画システム。
2020111085.tif 000002
【特許請求の範囲】
【請求項１】
治療に理想とされる理想患者位置と、
治療中の想定平均ホウ素濃度と、
各々の患者に特有のその患者が治療中に取る確率が高いと想定される少なくとも１以上の想定患者位置と、
各想定患者位置における付与線量を算出する算出手段により算出された想定患者位置付与線量と、を記憶しておく記憶手段を備え、
実治療中に、患者位置計測システムから患者位置変動の信号を受信すると、当該患者位置に最も近い想定患者位置を選択し、当該想定患者位置とともに、当該想定患者位置における付与線量、及び照射直前の血中ホウ素濃度の測定値から推定された照射時平均ホウ素濃度の値を、ＢＮＣＴシステムにおける中性子線照射制御システムに送信するものであることを特徴とするＢＮＣＴ用治療計画システム。
【請求項２】
治療に理想とされる理想患者位置と、
想定される複数の照射直前の血中ホウ素濃度測定値から推定される推定段階的減少ホウ素濃度値と、
各推定段階的減少ホウ素濃度値に基づく付与線量を算出する算出手段により算出された想定ホウ素濃度付与線量と、を記憶しておく記憶手段を備え、
照射直前の血中ホウ素濃度測定値を受信すると、当該測定値に最も近い推定段階的減少ホウ素濃度値を選択し、当該ホウ素濃度値に基づく想定ホウ素濃度付与線量を、ＢＮＣＴシステムにおける中性子線照射制御システムに送信するものであることを特徴とするＢＮＣＴ用治療計画システム。
【請求項３】
治療に理想とされる理想患者位置と、
各々の患者に特有のその患者が治療中に取る確率が高いと想定される少なくとも１以上の想定患者位置と、
各想定患者位置における付与線量を算出する算出手段により算出された想定患者位置付与線量と、
想定される複数の照射直前の血中ホウ素濃度測定値から推定される推定段階的減少ホウ素濃度値と、
各推定段階的減少ホウ素濃度値に基づく付与線量を算出する算出手段により算出された想定ホウ素濃度付与線量と、を記憶しておく記憶手段を備え、
実治療中に、患者位置計測システムから患者位置変動の信号を受信すると、当該患者位置に最も近い想定患者位置を選択し、当該想定患者位置とともに、当該想定患者位置における付与線量、
及び照射直前の血中ホウ素濃度測定値を受信すると、当該測定値に最も近い推定段階的減少ホウ素濃度値を選択し、当該ホウ素濃度値に基づく想定ホウ素濃度付与線量を、ＢＮＣＴシステムにおける中性子線照射制御システムに送信するものであることを特徴とするＢＮＣＴ用治療計画システム。
【請求項４】
中性子線照射装置、患者保持装置、患者位置計測システム、ＢＮＣＴ用治療計画システム、及び中性子線照射制御システムを含んで構成されるＢＮＣＴシステムであって、
前記中性子線照射制御システムが、請求項１〜３のいずれかの項に記載のＢＮＣＴ用治療計画システムから送信されてくる付与線量の情報を記憶する記憶手段、及びこれら付与線量を積算し、積算値が治療目標値に到達した時点で、照射終了制御を行う照射制御部を備えていることを特徴とするＢＮＣＴシステム。
【請求項５】
治療に理想とされる理想患者位置と、治療中の想定平均ホウ素濃度と、を記憶しておく記憶手段、及び高速線量計算部を備え、
実治療中に、患者位置計測システムから前記理想患者位置からの患者位置の変動信号を受信すると、当該変動に対応する患者位置で、及びホウ素濃度は、照射直前の血中ホウ素濃度の測定値から推定された照射時平均ホウ素濃度で計算モデルの条件を再現し、
再現された計算モデルの条件下での線量計算を前記高速線量計算部で実行し、
高速計算された付与線量値を、ＢＮＣＴシステムにおける中性子線照射制御システムに送信するものであることを特徴とするＢＮＣＴ用治療計画システム。
【請求項６】
治療に理想とされる理想患者位置を記憶しておく記憶手段、及び高速線量計算部を備え、
実治療中に、ホウ素濃度が逐次計測され、これら計測値を受信すると、
ホウ素濃度は逐次計測された計測値に変更する一方、患者位置は理想患者位置に維持したままの計算モデルの条件を再現し、
再現された計算モデルの条件下での線量計算を前記高速線量計算部で実行し、
高速計算された付与線量値を、ＢＮＣＴシステムにおける中性子線照射制御システムに送信するものであることを特徴とするＢＮＣＴ用治療計画システム。
【請求項７】
治療に理想とされる理想患者位置を記憶しておく記憶手段、及び高速線量計算部を備え、
実治療中に、患者位置計測システムから前記理想患者位置からの患者位置の変動信号を受信すると、当該変動に対応する患者位置で、及びホウ素濃度は、実治療中に、即発γ線測定法により、逐次計測された計測値で計算モデルの条件を再現し、
再現された計算モデルの条件下での線量計算を前記高速線量計算部で実行し、
高速計算された付与線量値を、ＢＮＣＴシステムにおける中性子線照射制御システムに送信するものであることを特徴とするＢＮＣＴ用治療計画システム。
【請求項８】
中性子線照射装置、患者保持装置、患者位置計測システム、ＢＮＣＴ用治療計画システム、及び中性子線照射制御システムを含んで構成されるＢＮＣＴシステムであって、
前記中性子線照射制御システムが、請求項５〜７のいずれかの項に記載のＢＮＣＴ用治療計画システムから送信されてくる付与線量の情報を記憶する記憶手段、及びこれら付与線量を積算し、積算値が治療目標値に到達した時点で、照射終了制御を行う照射制御部を備えていることを特徴とするＢＮＣＴシステム。
【請求項９】
請求項４又は８のいずれかの項に記載のＢＮＣＴシステムを使用するＢＮＣＴであって、
実治療中の患者位置の変動及び／又は実治療中のホウ素濃度の変化を考慮した計算モデルによる付与線量の再評価を実治療中に継続的に実施し、当該患者の治療にとっての、高精度線量付与を実施することを特徴とするＢＮＣＴ。
【発明の詳細な説明】
【技術分野】
【０００１】
本発明は、ホウ素中性子捕捉療法（Boron Neutron Capture Therapy：以下、ＢＮＣＴと記す）用治療計画システム、ＢＮＣＴシステム及びＢＮＣＴに関する。
【背景技術】
【０００２】
放射線の種類は大きく分けてアルファ（α）線、ベータ（β）線、ガンマ（γ）線、エックス（Ｘ）線、陽子線、重イオンなどの荷電粒子線、および中性子線があり、ここで後に列記されたものほど物質を透過する能力（透過力）が大きい。【０００３】
放射線の有効利用の代表的なものが医療分野への応用である。特に癌治療にこれら放射線が用いられており、Ｘ線を用いるＸ線治療、陽子、炭素などの粒子を用いる“粒子線治療”などがある。
放射線を使って癌治療を行う際には、できるだけ癌病巣に放射線を集中させる一方、周囲の正常組織に対しては極力放射線が当たらないようにし、癌病巣と正常組織とにそれぞれ付与される放射線量の差を利用して治療を行う。
現状の放射線療法では医療効果を得るため、癌病巣と正常組織とが近接しているような癌や正常組織の中に癌が浸潤しているような癌の場合、正常組織にも多くの放射線が付与されてしまい、副作用や晩期障害が生じる恐れもある 。【０００４】
近年、こうした副作用や晩期障害を生じさせないために、放射線を癌にピンポイントで当てる方法が研究されている。その例として、立体照射による正確な癌部位への高線量照射である“強度変調放射線治療法（ＩＭＲＴ）”、患者の呼吸や心臓の動きなど体内の動きに合わせて放射線を照射する“動体追跡放射線治療法”、治療効果の高い重粒子線や陽子線などを集中的に当てる“粒子線治療法”などを挙げることができる。【０００５】
これらのＸ線治療、粒子線治療に加えて、近年、特に、注目されているのが中性子線とホウ素化合物とを組み合わせて、細胞レベルで癌を選択的に破壊して治療する“ホウ素中性子捕捉療法（Boron Neutron Capture Therapy：ＢＮＣＴ）”である 。
放射線の中で一番透過力が大きい中性子線は、更に保持するエネルギーレベルに応じて、例えば以下のように分類される。括弧内は各種中性子線の持つエネルギーを示しており、その数値が大きいほど透過力が大きいことを示している。【０００６】
透過力が小さい方から、冷中性子（〜０．００５ｅＶ）、熱中性子（〜０．０２５ｅＶ）、熱外中性子（０．０２５ｅＶ〜１０ｋｅＶ）、高速中性子（１０ｋｅＶ以上）に分類される。
ただし、中性子線の分類にはいろいろな説があり、括弧内のエネルギーの値は厳密なものではなく、例えば、熱中性子のエネルギー領域を０．５ｅＶ以下とし、熱外中性子のエネルギーの範囲として、０．５ｅＶから１０ｋｅＶ以下、もしくは４０ｋｅＶ以下と記す説もある。【０００７】
また、中性子は電荷を持たず、そのため原子核と衝突した時に吸収されやすく、この様に中性子を吸収することを中性子捕獲と言う。特にホウ素の同位体であるホウ素１０は、熱中性子を捕獲する確率（断面積という）が他の元素と比べて非常に高いという性質を有している。
熱中性子を捕獲したホウ素１０は以下のような核反応を起こす。
１０Ｂ＋ｎ→７Ｌi＋４Ｈe
核反応を起こして殺細胞効果の高いヘリウム原子核（α線）とリチウム原子核を放出する。さらに発生したα線とリチウム原子核は、正常組織の中では数マイクロメートルだけ進行して止まる 。【０００８】
ＢＮＣＴはこの物理特性を利用する。治療前に注射や点滴などによって癌細胞内にホウ素１０を含有する化合物（以下、ホウ素化合物と記す）を取り込ませておき、その状態で癌病巣に熱中性子を照射することによって、癌細胞内で中性子捕獲反応を生じさせ、発生するヘリウム原子核（α線）とリチウム原子核によって癌のＤＮＡを破壊する。癌細胞の大きさは１０マイクロメートル程度であるため、α線とリチウム原子核は癌細胞内で止まるため、周囲の正常組織には影響を及ぼさない。
この原理によりＢＮＣＴは、癌を細胞レベルで破壊し、正常組織を温存できるという極めて優れた特徴を備えている。【０００９】
癌細胞は、盛んに増殖する過程でホウ素化合物をその細胞内に取り込みやすく、ＢＮＣＴでは、この性質を利用して効果的に癌細胞だけを破壊する治療を行う。
この原理は米国のLocherにより約８０年前に提唱され、患者の健全部への影響が少ないなど、極めて優れた放射線療法として以前から注目され、各国で研究開発がなされてきた。
しかしながら、中性子線発生装置、治療に有効な中性子線種の選定を行う選定装置の開発、患者の患部以外の健全部への影響の除去（すなわち、ホウ素化合物を癌細胞にだけ形成させること）など、多岐に渡る重要な開発課題が存在しており、未だ一般的な治療法として普及するには至っていない。【００１０】
中性子線を医療用、特にＢＮＣＴにおいて効果的に利用するための中性子線種の選定の一例を以下に示す。
身体に悪影響のある高エネルギーの中性子線（例えば、高速中性子線）をまずは極力除外し、さらに生体内への深達性がほとんどない低エネルギーの中性子線（例えば、熱中性子線、冷中性子線）を減らし、生体内への深達性のある中程度のエネルギーの中性子線（例えば、“熱外中性子線（０．５ｅＶ〜１０ｋｅＶ）”）の割合を高める 。【００１１】
これにより、ＢＮＣＴの効果的利用が可能な医療用中性子線とすることができる。熱外中性子線は、患者体内の組織への深達性が比較的高く、これら中速中性子線の内の低エネルギー部分及び熱外中性子線を、例えば頭部へ照射する場合、よほど深部の癌でない限り開頭手術を必要とせず、無開頭の状態で患部への効果的な照射が可能となる。【００１２】
一方、熱中性子線や冷中性子線などの極低エネルギーの中性子線は、この深達性が低く、これら中性子線を用いた手術治療の場合、表在性のがん（例えば皮膚がんなど）に対する治療に用いる。また、この低エネルギーの中性子線を悪性脳腫瘍への治療に用いる場合は、病巣部に中性子を届かせるために開頭が必要となり、患者への負担が重いものとなる。
ＢＮＣＴにおいて治療効果を高めるには、熱外中性子線を主体とし、熱中性子線をいくらか含む中性子線を患部に必要量照射することが大切とされる。【００１３】
具体的には、照射時間を1時間程度とした場合に必要とされる熱外中性子束は、照射口の位置でおおよそ０．５〜１．０×１０９ [n／cm２／sec] となる。
この強度の熱外中性子を発生させるためには、中性子の発生源である加速器からの陽子の出射エネルギーは、中性子線生成のターゲットにベリリウム（Ｂｅ）を使用する場合、おおよそ５〜３０ＭｅＶ、平均電流値はおおよそ１ｍＡ〜数ｍＡが必要であるとされている。また、ターゲットにリチウム（Li）を用いる場合は、陽子の出射エネルギーは、２．５ＭｅＶ前後が用いられ、平均電流値は、１０ｍＡ〜３０ｍＡ程度が必要であるとされている。【００１４】
Ｘ線治療、粒子線治療、ＢＮＣＴなどの放射線照射治療では、事前に治療計画システムを用いて線量評価を実施して照射条件を決定しておく。照射条件の中でも特に重要なのが、患者位置であり、照射するビーム（照射口）に対する患者の位置関係を定めている。【００１５】
一般的に放射線照射治療（ＢＮＣＴも含む）では、治療前に照射条件に従って決定された所定位置に患者を固定し、患者に放射線を照射する。
ここで、ＢＮＣＴを除く現状の放射線治療の場合は、照射時間が1分以内と非常に短いため、患者は（呼吸以外では）動かないことを前提に治療（照射）が行われ、患者に付与される線量は、事前の治療計画時に算出された線量が、そのまま付与されたものとする。【００１６】
従って、もし照射中に患者が動いてしまうと、計画された箇所に放射線が照射されず、病巣には、治療に十分な線量が付与されず、周囲の正常組織に計画以上の線量が付与されてしまう恐れがある。
その為、照射中の患者の位置変化は、Ｘ線治療、粒子線治療では、医師や医療スタッフがカメラモニターで観察している。もし治療中に患者に大きな動きが生じた場合は、治療を中断して位置合わせをし直して、再照射している。
また、患者の予期せぬ位置変動とは別に、呼吸によって臓器が常に周期的に位置変動する肺癌や肝臓癌に対するＸ線治療や陽子線治療などでは、呼吸に合わせてビームをオン／オフすることによって照射精度を担保したりしている。
例えば、Ｘ線治療や、粒子線治療では、照射中の病巣の動きを、ビーム照射の合間に透視用Ｘ線を照射して病巣位置を把握して治療を行っている。この場合、治療用ビームが狙っているところに病巣が入った時に照射を行う“待ち伏せ照射法”と、動いている病巣にビーム照射範囲を動かして照射する“動態追尾照射法”のそれぞれがある。
また、呼吸に同期させる検知方法として、レーザーによる距離計などでモニターし、間接的に臓器の位置変化を計測している。また、金マーカーを病巣周辺に埋め込んで、ビーム照射前後の病巣の（呼吸による）動きと位置を確認する技術も実用化されている。【００１７】
他方、ＢＮＣＴの場合、治療時間が1時間程度と、他の放射線照射治療と較べて極めて長いため、長時間の照射中、患者が動いてしまう可能性は他の放射線治療に比して高い。これを避ける為に、患者を動けないように完全に固定してしまうと、患者に大きな負担をかけることになるので、強固な固定は行わない。
すなわち、ＢＮＣＴの場合、治療時間が1時間程度と長いこと、及び強固な固定は行わないことから、照射中に患者位置が変動する可能性が極めて高い。もし位置がずれたまま照射を完了すると、当初の計画時の線量とは大きな差異が生じてしまうこととなる。
ＢＮＣＴでは、照射中の患者の動きはカメラモニターで観察し、患者の多少の動きに対しては（呼吸による位置変動などＢＮＣＴにおいて許容範囲内の場合）治療を継続する。  
また、ＢＮＣＴの場合、ホウ素化合物を患者に投与しており、ホウ素の血中濃度が時間とともに低下するため、照射時間が1時間を超えてしまうと治療に必要なホウ素濃度を下回ってしまう恐れがある。よって照射中に一旦中性子照射をオフにして位置合わせ作業を行うとホウ素濃度低下によって治療の継続が困難となり、治療自体が成立しなくなってしまうため、通常、中性子出力のオン／オフによる中性子線の照射制御は行わず、連続的に照射を行う。
このため、ＢＮＣＴの場合、治療を、通常1回の連続照射で完了させる。従って、もし位置がずれたまま照射を完了すると、当初の計画時の線量とは大きな差異が生じてしまうこととなる。【００１８】
（ＢＮＣＴの治療実施手順）
ＢＮＣＴの一般的な治療手順を図１に示す。
通常、ＢＮＣＴの候補の患者が現れると、まず“治療計画システム（Treatment Planning System 以下、ＴＰＳと記す）”を用いて治療計画を立てる。治療計画とは、その患者に最適な照射条件：ビームの照射位置、角度、距離及び照射時間などを決定することをいう。この治療計画立案作業を照射の１〜２週間前に行う。【００１９】
ＴＰＳを用いて最適な治療計画を立案した後、実際の治療当日を迎える。当日は実際の照射の約１〜２時間前からホウ素化合物（ＢＰＡ）の投与を行う。ある程度ホウ素化合物が投与されて癌病巣にホウ素化合物が集まった段階で、患者を照射室に連れて行く。実際の照射室では、患者を照射位置に正確に固定する。この照射位置は、ＴＰＳで導いた照射条件の中に定義されており、その条件通りに患者を固定する。ＢＮＣＴの照射は、病巣の場所によって患者を寝かせて照射する場合もあれば、座った状態で照射する場合もある。【００２０】
従来の患者の位置合わせ方法は、複数のレーザー光線を使って位置合わせしたり、目視や定規を使ってビーム孔に対する目や鼻、耳などの位置関係を確認しながら位置合わせを行う（なお、Ｘ線治療や粒子線治療などでは、Ｘ線透視装置が照射室内に設置可能なため、大まかに照射位置に固定された患者にＸ線透視してレントゲン撮影し、癌病巣の位置を確認する。しかしＢＮＣＴは中性子を用いるためＸ線透視装置を照射室内に設置するとその装置が中性子ですぐに壊れてしまうため、Ｘ線透視装置を設置できず、従来のＸ線透視による病巣位置確認による位置合わせはできない）。【００２１】
照射を開始する前に何回か採血して血中のホウ素濃度を測定する。このホウ素濃度の測定に基づいて、照射中のホウ素濃度を推定する。ここで脳や皮膚、粘膜、がん病巣などの各臓器・組織中のホウ素濃度と、血中のホウ素濃度の比は、過去の研究から特性が分かっている。例えばＢＰＡの場合、血中のホウ素濃度を１とすると、皮膚の濃度比は１．２、脳は１．０、がん細胞は３〜５である。よって、採血によって血中のホウ素濃度を測定することによって、各組織に集積しているホウ素濃度を推定することができる。
照射中も血中及び各臓器・組織中のホウ素濃度は逐次変化（減少）するが、照射中はホウ素濃度は測定できないため、照射直前の測定値と、薬物動態と過去の研究に基づいたホウ素濃度の減衰カーブを基に、ホウ素濃度の変化を推定する。そして実際の照射においては照射中の“平均ホウ素濃度”を推定して、照射中の“平均ホウ素線量”を算出する（1ppm当たりのホウ素線量はＴＰＳで算出する）方法も使われる。ここで“ホウ素線量”とは、中性子がホウ素に吸収され、ホウ素１０と中性子との反応によって発生するα線とリチウム原子核によって細胞に与える線量のことである。ホウ素線量のことを、以下、ホウ素濃度付与線量とも言う。がん細胞中のホウ素濃度と正常組織中のホウ素濃度に差が生じることで、ホウ素線量にも差が生じるため、このホウ素線量の差が、ＢＮＣＴの治療効果（がん細胞と正常細胞への線量の差）となる。【００２２】
患者の位置合わせ（ＴＰＳで導いている“理想の”照射位置への固定）が完了し、採血を行って平均ホウ素濃度を推定し、照射時間を決定して、照射を開始する。
しかし、血中ホウ素濃度の時間変化は患者ごとに変動することもあり、照射直前の測定値からの照射中の平均ホウ素濃度の推定は精度が十分でないことがある。照射が終わった後に、再度採血して照射後のホウ素濃度を実測し、照射中の平均ホウ素濃度を事後評価すると、照射前に予測・推定した平均ホウ素濃度と大きくズレていることが多々ある。このズレの誤差は10〜20％にもなることもよくある。
【００２３】
ホウ素濃度によって癌病巣や正常組織に付与される線量率も変化する。ホウ素濃度が高い場合は、その部位に付与される線量率も高くなるので、照射時間は短くなる。逆にホウ素濃度が低いと照射時間は長くなる。ＢＮＣＴの照射時間は、正常組織に付与される最大中性子線量（例えば１０Ｇｙ）で制御する。例えば、ホウ素濃度１ppmあたりホウ素線量率が１Ｇｙ/ｐｐｍ/ｈｒだった場合、ホウ素濃度が１０ｐｐｍのときは、ホウ素線量率は１０Ｇｙ/ｈｒになるため、最大ホウ素線量１０Ｇｙを付与するためには1時間必要、ということになる。もしホウ素濃度が２０ｐｐｍだった場合は、２０Ｇｙ/ｈｒとなるため、１０Ｇｙ付与するためには０．５ｈｒ＝３０分の照射で良い、という計算になる。【００２４】
このように事前のホウ素濃度およびホウ素線量のの推定値によって照射時間が変化するため、ホウ素濃度の推定とそれに基づくホウ素線量の予測計算が非常に重要になる。【００２５】
患者の位置合わせについては、従来の方法では照射中に患者が動くことは想定していない。
通常は、
（１）患者はＴＰＳで決められた条件の位置に固定できている。
（２）照射中も患者は動かない。
という想定の下で照射を行う。
この想定が担保されれば、ＴＰＳの照射計画通りに病巣と周辺臓器に中性子を照射できることになるため、ＴＰＳが導いた照射時間通りに照射すれば、各部位に計算通りの線量を付与できる、ということになる。しかし、実際には、
（１） 照射前の位置合わせの段階でＴＰＳの計画通りに位置合わせできない場合がある。
（２） 照射時間が長いため、照射中に患者が動いてしまい、ＴＰＳで導いた照射条件を担保できなくなる、計画とは違うところに中性子が当たり始める、
という状況が生じる。【００２６】
下記の特許文献１（住友重機械工業株式会社の先行出願）の内容は、このＴＰＳが導いた“理想の”照射条件位置と、実際に患者を固定した際の（照射前の）位置とのズレを、事前に予測しておいて、(たくさんの位置ズレ条件での線量計算を実施しておいて)事前の計算の中からズレた位置に最も近い位置条件の計算結果を採用する、というものである。位置ズレに合わせて照射時間も多少変更する、というものである。【００２７】
（治療計画システム）
図２に、ＴＰＳを用いてある照射条件下で患者に付与される線量計算の流れを示す。また、図３に、ＴＰＳを用いた治療計画立案（最適照射条件の決定）の流れを示す。ＴＰＳでは、患者のＣＴ（Computed Tomography：コンピュータ断層撮影）、ＭＲＩ（Magnetic Resonance Imaging：磁気共鳴画像）データを取り込み、まず、患者の３次元モデルを作成する。この３次元モデルに対して、想定される照射条件（ビームの入射位置、角度、距離など）、すなわち計算条件を設定する。この計算条件を決定すると、ＴＰＳは計算モデルを作成し、それをモンテカルロ（ＭＣ）計算コードに入力して計算を実行する。ＭＣ計算では、その照射条件下の場合、患者の体の中の中性子分布＝線量分布がどのようになるか、を算出する（照射のシミュレーションを行う）。【００２８】
通常は1回の計算（1回の計算条件）では最適な照射条件かは判定できず、照射条件を変更して、その変更条件での計算をさらに実施する。そして前の計算結果と条件変更後の計算結果を比較して、良い方の条件を選択する。この作業を何度も繰り返し、計算結果を比較し、最終的に（最適な照射条件）＝（計算を行った中の計算結果が最もよかったものの照射条件）を選択して、それを実際の照射に用いる照射条件とする。【００２９】
（患者の位置ずれによる線量分布の変化）
図４は、原子炉でＢＮＣＴを実施している際の様子を示している。照射位置に患者を固定した後の照射直前に“３次元ディジタイザ”という装置を使って患者の眼、鼻、耳などの位置を測定する。図４中の真ん中の上の表のものにおける、この眼、鼻、耳の位置（座標）は、ＴＰＳによる事前の照射シミュレーション時（治療計画時）に“理想の”照射位置に固定できていた場合の各座標を示している。【００３０】
しかし、３次元ディジタイザで実測した座標では、理想の位置からズレていることが分かる（図４中の真ん中の下の表の下側の数字がズレ量を示している）。従来は、この３次元ディジタイザによる測定を何回か行って、位置合わせを調整し、できるだけ“理想の”照射条件に近づいたことを確認して、照射を開始していた。それでも少しはズレる。図４は、この少しずれている状況を示しているが、これでＯＫとして照射を実施する。【００３１】
この３次元ディジタイザで測定した照射直前の実際の患者の位置をＴＰＳを使って再現した様子が図５の右下の図である。照射条件である右上の図と、（実際の固定）＝（実際に照射された患者位置）である右下の図とを比較すると、癌病巣（ビーム孔の中心付近の黒い領域）の位置が、照射条件では中心にセットされているのに対して、実際の患者固定位置では癌病巣がビームの中心よりも少し下にズレていることが分かる。【００３２】
このようにＢＮＣＴでは、実際の照射では理想の照射条件通りに照射することはなかなか困難な状況にある。それでも“理想通りの位置に固定できている”ものとして照射を行っている。【００３３】
なお、この原子炉ＢＮＣＴでは、３次元ディジタイザでの位置測定に、５分程度はかかり、直接患者に触れながら計測するため、照射中の計測は実施できない。また、３次元ディジタイザで計測した眼、鼻、耳の座標の情報をＴＰＳにフィードバックするのも簡単ではなく、治療（照射）が終わった後の翌日以降に作業を行って再計算を行う、という手順になっている。【００３４】
従って、３次元ディジタイザで理想の照射位置から少しずれていることが分かったとしても、その場でＴＰＳにフィードバックすることはできない、という状況にある。
下記の特許文献１の発明では、この照射直前の位置ズレを考慮して、事前に多数の位置条件下での線量計算を行っておき、その中から、実際にズレた位置に最も近い条件を採用して照射を行う、というものになっている。【００３５】
（照射中のホウ素濃度）
上記したようにＢＮＣＴ照射時のホウ素濃度は常に変化（減少）している。図６（a）（b
）は２つのホウ素化合物、ＢＰＡとＢＳＨの血中ホウ素濃度の実測データを示している。この実測データは原子炉でのＢＮＣＴ時のデータで、照射前に何回か患者から採血してその血中のホウ素濃度を測定したデータである。ＢＰＡは、薬剤投与が終了した直後（＝照射が開始された時）から急速に減少する。この現象の特性は、生体の薬物動態と代謝によって特性付けられている。この減衰カーブを基に、照射中の“平均濃度”を照射開始前に推定する。【００３６】
例えば図６（a）のＢＰＡの場合、照射直前の血中ホウ素濃度は約２４ｐｐｍとなっている。そして照射（グレーの領域）中は、ＢＰＡの薬物動態から推測した減衰カーブ（図中のカーブライン）で減衰すると仮定し、終了した直後の濃度は約８ｐｐｍになると照射開始前に予測する。これに基づいて照射中の“平均ホウ素濃度”は例えば“１５ｐｐｍ”と、照射前に医師が判断し決定する。【００３７】
すなわち線量評価では照射中はホウ素濃度は常に１５ｐｐｍである、と仮定して線量計算を行う。例えば、ある部位の線量率が１Ｇｙ/ｐｐｍ/ｈｒという計算結果があるとして、１５ｐｐｍだとすると、１５Ｇｙ/ｈｒとなり、１０Ｇｙで照射を完了する場合は、照射時間（１０/１５）×６０分＝４０分という計算になる。しかし実際には、このホウ素濃度の予測精度は悪いのが現状である。【００３８】
生体中のホウ素化合物の濃度変化は、下記の非特許文献１、２の論文などに公開されている。これらの論文や経験から、ホウ素濃度の減衰を推測していた。【００３９】
（ホウ素濃度の違いによる生体内の線量分布の違い、変化）
ホウ素１０（ホウ素10）は中性子と良く反応し易い特性を持っている（そのためＢＮＣＴの治療が成立する）。しかしホウ素10は中性子と反応し易いため、もし病巣部分のホウ素10濃度が高いと、中性子が止まってしまって深い部分に中性子が届きにくくなる、という特性がある。逆にホウ素10濃度が少ない（もしくはホウ素10が入っていない)場合は、中性子はスムーズに生体を通っていき、通常の中性子分布を形成する。すなわち、ホウ素10濃度の違いによって生体内の中性子分布は変化し、これに伴って生体内（病巣周辺の）線量分布も変化することになる。【００４０】
図７は、癌病巣にホウ素10が入っていない場合（上線）と癌病巣中のホウ素10濃度が５０ppmだった場合（下線）のビーム軸上の中性子束分布を比較したものである。また図８（a）（b
）は、癌病巣（白楕円の範囲）にホウ素10が入っていない場合の生体内の中性子の２次元分布（a）と、ホウ素10濃度が５０ppmだった場合の２次元分布（b）を示している。【００４１】
図７は、ビームが体に入ってから癌病巣までは両者の中性子の分布は変わらず、癌病巣を通過すると、ホウ素10が入っていない場合は、上線の分布（通常の分布）となり、他方、癌病巣に５０ppmのホウ素10が入っていた場合は、下線の分布となり、癌病巣を中性子が通過する際にホウ素10によって多くの中性子が止まってしまい、癌病巣を通過した後の中性子が減少してしまうことを示している。【００４２】
図８も同様で、（a）の癌病巣にホウ素10が入っていない場合は、中性子の高い範囲（カラー表示では、赤線→オレンジ線→黄色線）は広く深い範囲に広がっているが、ホウ素10濃度が５０ppmの場合は、中性子が高い赤線の領域が癌病巣の手前で止まってしまい、癌病巣を通過した後の中性子強度は（a）の分布よりも低くなっていることを示している。【００４３】
従来のＴＰＳにおける線量評価及び治療計画では、癌病巣中のホウ素濃度はある濃度（想定される照射中の平均濃度：例えば１５ppm）を仮定して計算モデルにその濃度をセットして計算を行う。そして実際の治療でも、その単一の濃度で計算した中性子分布の線量評価に基づいて照射時間を決定し、各部位に付与される線量も評価している（図９）。
しかし、実際には照射開始時のホウ素濃度（例えば２４ppm）と照射終了直前の濃度（例えば８ppm）では、中性子の分布は異なり、これに基づいて各部位に付与される線量も変わっている。現状のＢＮＣＴではそれらは無視している。その時その時のホウ素濃度の変化に応じた線量評価を行うことができれば、より精度の高い線量評価ができ、照射制御ができることになる。【００４４】
［発明が解決しようとする課題］
現在のＢＮＣＴにおける大きな課題は、上記した背景技術からも明らかなように、下記の３つとなっている。
（１）治療中における患者位置の変動を把握しようとしても、現状では患者位置の変動をリアルタイムで測定できる中性子線の照射に耐える患者位置高精度測定システムが存在しないこと。
（２）治療中に患者位置が変動した場合、患者位置の変動情報に基づいて線量評価を逐次実施して付与される線量を補正しようとしても、この変動位置での再線量評価には時間を要し、治療時間内に有効利用できる状況にはなっていないこと。
（３）ホウ素濃度は中性子線照射中にも常に変化しているが、照射中の細かいホウ素濃度変化は測定されておらず、ホウ素濃度の変化に合わせた線量の再評価に基づく照射制御ができていないこと。【００４５】
上記（１）の課題を解決するものとして、本件出願人らが先に出願し、最近特許化された特許第６５９１２２９号がある。この技術は、照射室内に設置した複数のカメラを用い、モーションキャプチャー技術を組み合わせて患者の位置を逐次計測する。この技術を用いることで、照射中の患者位置を秒単位で定量的に計測することが可能となり、中性子線照射中もリアルタイムで患者位置を高精度に測定できるようになった。【００４６】
また、特許第６５６５１２０号には、中性子捕捉療法システムが開示され、上記課題（２）を解決するものとして、患者の位置ずれ量に対応する線量評価を前もって行っておくという技術が開示されている。
しかし、この技術は、中性子線照射中もリアルタイムで患者位置を高精度に測定できる技術を伴っていないため、照射前の患者の位置合わせ段階のものにとどまっており、患者が中性子線の照射中に移動する場合には対応できていない。あくまで照射開始時のみにおいて対応できるものとなっている。【００４７】
従って、多少の位置変化の場合は、線量が変化することを許容して照射を継続する。
この結果、本来、病巣に付与すべき処方線量が足りなくなる場合は、再発が起きてしまうこともある。逆に必要以上の線量を与えてしまうと、正常組織に対しては過照射となり、放射線障害などの有害事象が生じる虞れがある。【００４８】
また仮に、患者の位置情報に基づいて線量評価を逐次実施して付与される線量を補正しようとしても、現状の計算手法では、線量計算に時間を要するため、それを実現することはできないといった課題があった。
【先行技術文献】
【特許文献】
【００４９】
【特許文献１】特許第６５６５１２０号公報（特開2018-47132号公報）
【特許文献２】特許第６５９１２２９号公報（特開2017-35348号公報）
【非特許文献】
【００５０】
【非特許文献１】Effect of Dose and infusion time on the delivery of p-boronophenylalanine for neutron capture therapy, D.D.Joel, et al, J. Neuro-Oncology, 41, 213-221, 1999
【非特許文献２】Pharmacokinetics of sodium borocaptate: a critical assessment of dosing paradigms for boron neutron capture therapy, C. R. Gibson, et al., J. Neuro-Oncology, 62, 157-169, 2003
【発明の概要】
【課題を解決するための手段及びその効果】
【００５１】
本発明は、上記課題に鑑みなされたものであって、病巣に付与すべき処方線量が足りなくて再発が起きてしまうようなことがなく、また、逆に必要以上の線量を与えてしまい、正常組織に対しては過照射となり、放射線障害などの有害事象が生じるようなことのない、高精度な治療を実現可能とするＢＮＣＴ用治療計画システム、ＢＮＣＴシステム及びＢＮＣＴを提供することを目的としている。
【００５２】
上記目的を達成するために、本発明に係るＢＮＣＴ用治療計画システム（１）は、治療に理想とされる理想患者位置と、
治療中の想定平均ホウ素濃度と、
各々の患者に特有のその患者が治療中に取る確率が高いと想定される少なくとも１以上の想定患者位置と、
各想定患者位置における付与線量を算出する算出手段により算出された想定患者位置付与線量と、を記憶しておく記憶手段を備え、
実治療中に、患者位置計測システムから患者位置変動の信号を受信すると、当該患者位置に最も近い想定患者位置を選択し、当該想定患者位置とともに、当該想定患者位置における付与線量、及び照射直前の血中ホウ素濃度の測定値から推定された照射時平均ホウ素濃度の値を、ＢＮＣＴシステムにおける中性子線照射制御システムに送信するものであることを特徴としている。
【００５３】
上記ＢＮＣＴ用治療計画システム（１）によれば、実治療中に、前記患者位置計測システムから患者位置変動の信号を受信すると、当該患者位置に最も近い想定患者位置を選択することができ、実治療中に患者に付与される線量を、実治療に先立って予め算出しておいた想定患者位置における付与線量に基づいて時間をかけることなく即座に求めることができる。このため、実治療中に患者に付与される線量を調整することも可能となり、ＢＮＣＴ治療時における計画付与線量の確保が容易となり、中性子線治療による癌の治療効果、治療成績の向上につなげることができる。しかも病巣周辺の正常細胞への線量を抑制することも容易となり、有害事象（副作用）の低減にもつなげることができる。
なお、上記計画付与線量とは、理想患者位置において算出された治療のための理想的付与線量を意味している。
【００５４】
また、本発明に係るＢＮＣＴ用治療計画システム（２）は、治療に理想とされる理想患者位置と、
想定される複数の照射直前の血中ホウ素濃度測定値から推定される推定段階的減少ホウ素濃度値と、
各推定段階的減少ホウ素濃度値に基づく付与線量を算出する算出手段により算出された想定ホウ素濃度付与線量と、を記憶しておく記憶手段を備え、
照射直前の血中ホウ素濃度測定値を受信すると、当該測定値に最も近い推定段階的減少ホウ素濃度値を選択し、当該ホウ素濃度値に基づく想定ホウ素濃度付与線量を、ＢＮＣＴシステムにおける中性子線照射制御システムに送信するものであることを特徴としている。
【００５５】
ホウ素濃度は中性子線照射中にも常に変化しているが、上記ＢＮＣＴ用治療計画システム（２）によれば、血中ホウ素濃度測定値に最も近い推定段階的減少ホウ素濃度値に基づく想定ホウ素濃度付与線量でもって照射制御することが可能となり、ＢＮＣＴ治療時における計画付与線量の確保が容易となり、中性子線治療による癌の治療効果、治療成績の向上につなげることができる。
【００５６】
また、本発明に係るＢＮＣＴ用治療計画システム（３）は、治療に理想とされる理想患者位置と、
各々の患者に特有のその患者が治療中に取る確率が高いと想定される少なくとも１以上の想定患者位置と、
各想定患者位置における付与線量を算出する算出手段により算出された想定患者位置付与線量と、
想定される複数の照射直前の血中ホウ素濃度測定値から推定される推定段階的減少ホウ素濃度値と、
各推定段階的減少ホウ素濃度値に基づく付与線量を算出する算出手段により算出された想定ホウ素濃度付与線量と、を記憶しておく記憶手段を備え、
実治療中に、患者位置計測システムから患者位置変動の信号を受信すると、当該患者位置に最も近い想定患者位置を選択し、当該想定患者位置とともに、当該想定患者位置における付与線量、
及び照射直前の血中ホウ素濃度測定値を受信すると、当該測定値に最も近い推定段階的減少ホウ素濃度値を選択し、当該ホウ素濃度値に基づく想定ホウ素濃度付与線量を、ＢＮＣＴシステムにおける中性子線照射制御システムに送信するものであることを特徴としている。
【００５７】
上記ＢＮＣＴ用治療計画システム（３）によれば、実治療中に、前記患者位置計測システムから患者位置変動の信号を受信すると、当該患者位置に最も近い想定患者位置を選択することができ、実治療中に患者に付与される線量を、実治療に先立って予め算出しておいた想定患者位置における付与線量に基づいて時間をかけることなく即座に求めることができる。このため、実治療中に患者に付与される線量を調整することも可能となり、ＢＮＣＴ治療時における計画付与線量の確保が容易となり、中性子線治療による癌の治療効果、治療成績の向上につなげることができる。しかも、血中ホウ素濃度測定値に最も近い推定段階的減少ホウ素濃度値に基づく想定ホウ素濃度付与線量でもって照射制御することも可能となり、ＢＮＣＴ治療時における計画付与線量の確保が容易となり、中性子線治療による癌の治療効果、治療成績のより一層の向上につなげることができる。
【００５８】
また、本発明に係るＢＮＣＴシステム（１）は、中性子線照射装置、患者保持装置、患者位置計測システム、ＢＮＣＴ用治療計画システム、及び中性子線照射制御システムを含んで構成されるＢＮＣＴシステムであって、
前記中性子線照射制御システムが、上記ＢＮＣＴ用治療計画システム（１）〜（３）のいずれかから送信されてくる付与線量の情報を記憶する記憶手段、及びこれら付与線量を積算し、積算値が治療目標値に到達した時点で、照射終了制御を行う照射制御部を備えていることを特徴としている。
【００５９】
上記ＢＮＣＴシステム（１）によれば、ＢＮＣＴ治療時における計画付与線量の確保が容易となり、中性子線治療による癌の治療効果、治療成績の向上につなげることができる。
【００６０】
また、本発明に係るＢＮＣＴ用治療計画システム（４）は、治療に理想とされる理想患者位置と、治療中の想定平均ホウ素濃度と、を記憶しておく記憶手段、及び高速線量計算部を備え、
実治療中に、患者位置計測システムから前記理想患者位置からの患者位置の変動信号を受信すると、当該変動に対応する患者位置で、及びホウ素濃度は、照射直前の血中ホウ素濃度の測定値から推定された照射時平均ホウ素濃度で計算モデルの条件を再現し、
再現された計算モデルの条件下での線量計算を前記高速線量計算部で実行し、
高速計算された付与線量値を、ＢＮＣＴシステムにおける中性子線照射制御システムに送信するものであることを特徴としている。
【００６１】
上記ＢＮＣＴ用治療計画システム（４）によれば、高速線量計算部により、実治療中においても、逐次、変動患者位置で計算モデルの条件を再現し、再現された計算モデルの条件下での高速線量計算を実行することができる。換言すれば、より細かい、精度の高い付与線量値でもって照射を制御することができるようになり、ＢＮＣＴ治療時における計画付与線量の確保が容易となり、中性子線治療による癌の治療効果、治療成績のより一層の向上につなげることができる。しかも病巣周辺の正常細胞への線量をより一層抑制することも容易となり、有害事象（副作用）のより一層の低減にもつなげることができる。
【００６２】
また、本発明に係るＢＮＣＴ用治療計画システム（５）は、治療に理想とされる理想患者位置を記憶しておく記憶手段、及び高速線量計算部を備え、
実治療中に、ホウ素濃度が逐次計測され、これら計測値を受信すると、
ホウ素濃度は逐次計測された計測値に変更する一方、患者位置は理想患者位置に維持したままの計算モデルの条件を再現し、
再現された計算モデルの条件下での線量計算を前記高速線量計算部で実行し、
高速計算された付与線量値を、ＢＮＣＴシステムにおける中性子線照射制御システムに送信するものであることを特徴としている。
【００６３】
上記ＢＮＣＴ用治療計画システム（５）によれば、実治療中においても、逐次計測可能な即発γ線測定法などにより計測されたホウ素濃度計測値を使用した計算モデルの条件が再現され、再現された計算モデルの条件下での線量計算が前記高速線量計算部で実行される。換言すれば、ホウ素濃度の変化に対応した、より細かい、精度の高い付与線量値でもって照射を制御することができるようになり、ＢＮＣＴ治療時における計画付与線量の確保が容易となり、中性子線治療による癌の治療効果、治療成績のより一層の向上につなげることが可能となる。
【００６４】
また、本発明に係るＢＮＣＴ用治療計画システム（６）は、治療に理想とされる理想患者位置を記憶しておく記憶手段、及び高速線量計算部を備え、
実治療中に、患者位置計測システムから前記理想患者位置からの患者位置の変動信号を受信すると、当該変動に対応する患者位置で、及びホウ素濃度は、実治療中に、逐次計測された計測値で計算モデルの条件を再現し、
再現された計算モデルの条件下での線量計算を前記高速線量計算部で実行し、
高速計算された付与線量値を、ＢＮＣＴシステムにおける中性子線照射制御システムに送信するものであることを特徴としている。
【００６５】
上記ＢＮＣＴ用治療計画システム（６）によれば、実治療中においても、逐次、変動患者位置、及び、逐次計測可能な即発γ線測定法等により計測されたホウ素濃度計測値に条件変更した計算モデルが再現され、再現された計算モデルの条件下での高速線量計算が実行される。
従って、変動患者位置、及びホウ素濃度変化の両者に対応した、より細かい、精度の高い付与線量値でもって照射を制御することができるようになる。
このため、ＢＮＣＴ治療時における計画付与線量の確保が極めて容易となり、中性子線治療による癌の治療効果、治療成績のより一層の向上につなげることができる。しかも病巣周辺の正常細胞への線量をより一層抑制することも容易となり、有害事象（副作用）のより一層の低減にもつなげることができる。
【００６６】
また、本発明に係るＢＮＣＴシステム（２）は、中性子線照射装置、患者保持装置、患者位置計測システム、ＢＮＣＴ用治療計画システム、及び中性子線照射制御システムを含んで構成されるＢＮＣＴシステムであって、
前記中性子線照射制御システムが、上記ＢＮＣＴ用治療計画システム（４）〜（６）のいずれかから送信されてくる付与線量の情報を記憶する記憶手段、及びこれら付与線量を積算し、積算値が治療目標値に到達した時点で、照射終了制御を行う照射制御部を備えていることを特徴としている。
【００６７】
上記ＢＮＣＴシステム（２）によれば、変動患者位置及び／又はホウ素濃度変化の両者に対応した、より細かい、精度の高い付与線量値でもって照射を制御することができるようになる。
このため、ＢＮＣＴ治療時における計画付与線量の確保が極めて容易となり、中性子線治療による癌の治療効果、治療成績のより一層の向上につなげることができる。
【００６８】
また、本発明に係るＢＮＣＴ（１）は、ＢＮＣＴシステム（１）又は（２）のいずれかを使用するＢＮＣＴであって、
実治療中の患者位置の変動及び／又は実治療中のホウ素濃度の変化を考慮した計算モデルによる付与線量の再評価を実治療中に継続的に実施し、当該患者の治療にとっての、高精度線量付与を実施することを特徴としている。
【００６９】
上記ＢＮＣＴ（１）によれば、変動患者位置及び／又はホウ素濃度変化の両者に対応した、より細かい、精度の高い付与線量値でもって照射を制御することができるようになる。
このため、ＢＮＣＴ治療時における計画付与線量の確保が極めて容易となり、中性子線治療による癌の治療効果、治療成績に優れた治療を実施することができることとなる。
【図面の簡単な説明】
【００７０】
【図１】ＢＮＣＴの一般的な治療手順を示す模式的概略図である。
【図２】治療計画システム（ＴＰＳ）を用いてある照射条件下で患者に付与される線量計算の流れを示す模式的概略図である。
【図３】ＴＰＳを用いた治療計画立案（最適照射条件の決定）の流れを示す模式的概略図である。
【図４】原子炉でＢＮＣＴを実施していた際の流れを示す模式的概略図である。
【図５】ＴＰＳによる“理想の”照射条件下での患者照射位置（右上）と、３次元ディジタイザで測定して再現した“実際に照射を行った位置（右下）”の様子を示す模式的概略図である。
【図６】２つのホウ素化合物、ＢＰＡ（ａ）とＢＳＨ（ｂ）の血中ホウ素濃度の実測データをしめすグラフである。
【図７】がん病巣にホウ素10が入っていない場合（上線）と、がん病巣中のホウ素10濃度が50ppmだった場合のビーム軸上の中性子束分布を比較したグラフである。
【図８】がん病巣（白楕円の範囲）にホウ素10が入っていない場合の生体内の中性子の２次元分布（a）と、ホウ素10濃度が50ppmだった場合の２次元分布（b）の比較を示すグラフである。
【図９】従来の治療計画システムを含むＢＮＣＴシステムの全体構成を模式的に示す外観図である。
【図１０】本発明の実施の形態に係る治療計画システムを含むＢＮＣＴシステムの全体構成を模式的に示す外観図である。
【図１１】本発明の実施の形態１に係る治療計画システムを含むＢＮＣＴシステムの全体構成を概略的に示す機能ブロック図である。
【図１２】本発明の実施の形態１に係る治療計画システムを用い、想定患者位置において線量評価を行う状況を説明するための一例を示す模式図である。
【図１３】本発明の実施の形態１に係る治療計画システムにおける理想患者位置に実際の患者位置を一致させる方法を説明するための外観図及び模式図である。
【図１４】本発明の実施の形態１に係る実治療中の患者位置の一例と、理想患者位置とのずれを測定する方法を説明するための表を含む模式図である。
【図１５】本発明の実施の形態１に係る実治療中の患者位置の一例を用い、線量評価の実施方法を説明するための表を含む模式図である。
【図１６】本発明の実施の形態１に係る治療計画システムにおける実治療開始前の想定患者位置における線量評価を実施するための制御動作を示すフローチャート図である。
【図１７】本発明の実施の形態１に係るＢＮＣＴシステムにおける実治療開始後の制御動作を示すフローチャート図である。
【図１８】本発明の実施の形態１に係る治療計画システムを含むＢＮＣＴシステムにおける実治療開始後の制御動作の全体を模式的に示す外観図である。
【図１９】本発明の実施の形態２に係る治療計画システムを含むＢＮＣＴシステムにおける実治療開始後の制御動作の全体を模式的に示す外観図である。
【図２０】本発明の実施の形態２に係る治療計画システムを含むＢＮＣＴシステムの全体構成を概略的に示す機能ブロック図である。
【図２１】本発明の実施の形態２に係る治療計画システムにおける実治療開始前及びＢＮＣＴシステムにおける実治療開始後の制御動作を示すフローチャート図である。
【図２２】本発明の実施の形態３に係る治療計画システムを含むＢＮＣＴシステムにおける実治療開始後の制御動作の全体を模式的に示す外観図である。
【図２３】本発明の実施の形態３に係る治療計画システムを含むＢＮＣＴシステムの全体構成を概略的に示す機能ブロック図である。
【図２４】本発明の実施の形態３に係る治療計画システムにおける実治療開始前及びＢＮＣＴシステムにおける実治療開始後の制御動作を示すフローチャート図である。
【図２５】本発明の実施の形態４に係る治療計画システムを含むＢＮＣＴシステムにおける実治療開始後の制御動作の全体を模式的に示す外観図である。
【図２６】本発明の実施の形態４に係る治療計画システムを含むＢＮＣＴシステムの全体構成を概略的に示す機能ブロック図である。
【図２７】本発明の実施の形態４に係る治療計画システムにおける実治療開始前及びＢＮＣＴシステムにおける実治療開始後の制御動作を示すフローチャート図である。
【図２８】本発明の実施の形態５に係る治療計画システムを含むＢＮＣＴシステムにおける実治療開始後の制御動作の全体を模式的に示す外観図である。
【図２９】本発明の実施の形態５に係る治療計画システムを含むＢＮＣＴシステムの全体構成を概略的に示す機能ブロック図である。
【図３０】本発明の実施の形態５に係る治療計画システムにおける実治療開始前及びＢＮＣＴシステムにおける実治療開始後の制御動作を示すフローチャート図である。
【図３１】本発明の実施の形態６に係る治療計画システムを含むＢＮＣＴシステムにおける実治療開始後の制御動作の全体を模式的に示す外観図である。
【図３２】本発明の実施の形態６に係る治療計画システムを含むＢＮＣＴシステムの全体構成を概略的に示す機能ブロック図である。
【図３３】本発明の実施の形態６に係る治療計画システムにおける実治療開始前及びＢＮＣＴシステムにおける実治療開始後の制御動作を示すフローチャート図である。
【発明を実施するための形態】
【００７１】
以下、本発明に係るホウ素中性子捕捉療法（ＢＮＣＴ）用治療計画システム、ＢＮＣＴシステム及びＢＮＣＴの実施の形態を図面に基づいて説明する。
図１０は、本発明の実施の形態に係る治療計画システムを含むＢＮＣＴシステムの全体構成を模式的に示す外観図である。
ＢＮＣＴシステム１は、ＢＮＣＴ用治療計画システム２（以下、単に治療計画システム２と記す）、中性子線照射制御システム３、中性子線照射装置４、患者位置計測システム５、及び患者保持装置６を含んで構成されている。
【００７２】
中性子線照射装置４は、中性子線治療室Ｒに中性子線の照射口４Ａが向けられて配置されている。ＢＮＣＴの場合、通常、照射口４Ａ自体は動かすことができない構造となっているが、この照射口４Ａに、マルチリーフコリメータ（図示せず）を装備することにより、ある程度の範囲の患者位置の変動には、このマルチリーフコリメータの開口範囲の制御により、追従できるように構成されている。
【００７３】
中性子線照射装置４の１実施の形態では、照射口４Ａの近傍に治療中の例えば、患者頭部を安定的に保持できる頭部保持手段（図示せず）が出し入れ可能に装備されている。ＢＮＣＴの場合、1時間程度の治療時間を要するが、頭部保持手段を装備しておくことにより、患者が治療計画における理想患者位置をキープし続けられる可能性が高まり、頭部癌の治療効果、治療成績の向上につなげることができることとなる。しかも病巣周辺の正常細胞への線量を抑制することも容易となり、有害事象（副作用）の低減にもつなげることができることとなる。
【００７４】
患者位置計測システム５は、中性子線治療室Ｒの患者上方に配置される３台の可視光線型カメラＣを含んで構成されている。
また、患者位置計測システム５には、本件出願人らが先に出願し、最近特許化された特許第６５９１２２９号の技術が採用されている。
【００７５】
患者位置計測システム５は、放射線治療室Ｒ内に設置された複数の可視光線型カメラ５Ａを用い、モーションキャプチャー技術を組み合わせて患者Ｍの位置を逐次計測可能に構成されている。この技術を採用することで、中性子線照射中の患者位置を秒単位で定量的に計測することが可能となり、中性子線照射中もリアルタイムで患者位置を高精度に測定できるようになっている。本件発明は、この技術の採用を前提として成立している。
患者位置計測システム５により算出された患者位置情報は、本実施の形態では、治療計画システム２及び患者保持装置６の駆動制御部６ａへ、ＤＩＣＯＭフォーマットで出力され、送信される構成となっている。
【００７６】
患者保持装置６は、図１０に示したものでは、ベッド形式のものとなっているが、病巣の位置によっては、ベッド形式のものより、椅子タイプのもののほうが治療に適する場合もあり、このような場合のために、患者保持装置６としては椅子タイプのもの（図示せず）も用意されている。
【００７７】
いずれのタイプの患者保持装置６であっても、１実施の形態では、患者位置を任意の方向に移動させることができるように、例えば、Ｘ軸、Ｙ軸、Ｚ軸のそれぞれの方向に移動可能で、これら３軸の周りに回転可能な、６軸駆動の駆動装置（図示せず）が組み込まれている。患者保持装置６の駆動制御部６ａ（図１１）は、患者位置計測システム５からの患者位置変動信号５ｓ（図１１）を受け、患者保持装置６を任意の方向へ移動、回転駆動できるように構成されている。
【００７８】
図１１は、本発明の実施の形態１に係る治療計画システム２を含むＢＮＣＴシステム１の全体を概略的に示した機能ブロック図である。
治療計画システム２は、図１０に示したようなコンピュータシステムに、専用のソフトウエアがインストールされて構成されており、患者位置計測システム５からの患者位置情報を受信するとともに、各患者毎の病巣情報などが入力されると、患者毎の理想的治療条件、例えば、照射時間、ビーム照射角度、単位ホウ素濃度当たりの照射時間などを決定し、患者毎の理想的治療計画を作成し、実行できるように構成されている。
治療計画システム２は、中性子線照射制御システム３を介して中性子線照射装置４の駆動制御部４ａに接続され、患者位置計測システム５、及び患者保持装置６の駆動制御部６ａにも接続されている。
【００７９】
治療計画システム２は、記憶手段２Ａ、想定患者位置付与線量算出手段２Ｂ、及び想定患者位置選択手段２Ｃを含んで構成されている。
記憶手段２Ａには、理想患者位置２Ａａ、想定平均ホウ素濃度値２Ａｂ、想定患者位置２Ａｃ、想定患者位置付与線量２Ａｄ、照射時平均ホウ素濃度２Ａｅなどが記憶されるようになっている。    
【００８０】
ここでいう理想患者位置２Ａａとは、それぞれの患者毎に決定される中性子線照射装置４の中性子線の照射口４Ａに対する位置であって、当該患者にとっての中性子線治療のための理想的位置と考えられる位置を意味している。
また、理想患者位置２Ａａにおいて計算される治療のための理想的付与線量を計画付与線量という。
想定患者位置２Ａｃは、各々の患者に特有のその患者が治療中に取る確率が高いと想定される少なくとも１以上の患者位置であって、治療開始前に想定される患者位置を意味している。
【００８１】
想定平均ホウ素濃度２Ａｂは、患者の体格などを考慮して治療開始前にそれぞれの患者毎に対応させて決定しておく治療中に想定される平均ホウ素濃度を意味している。
照射時平均ホウ素濃度値２Ａｅは、照射直前の血中ホウ素濃度の測定値から推定されるホウ素濃度であって、実治療の際の線量の計算に用いられるものを意味している。
想定患者位置付与線量算出手段２Ｂは、各想定患者位置を取り込み、各想定患者位置における計画付与線量を算出しておく算出手段であって、算出された各想定患者位置付与線量２Ａｄは記憶手段２Ａに記憶される。
この想定患者位置付与線量２Ａｄの算出には、計算精度の高いモンテカルロ法が採用されている。
【００８２】
現状のモンテカルロ法による線量計算では、１つの患者位置条件に対してＣＰＵを１００個並列化した並列計算環境を用いても、約３０分程度を要する。すなわち、実際のＢＮＣＴの照射が３０分から1時間以内で終了することを考えると、照射中にモンテカルロ法を用いて変動患者位置での付与線量を再計算しようとすると、計算が完了する前に照射が終了してしまう確率が高い。また、３０分掛けて計算を行っている間に患者がさらに別の場所に動いてしまう確率も高い。
従って、従来の方法でモンテカルロ法を用いて治療中に変動患者位置での付与線量を再計算しても照射制御を続行することは不可能であった。
【００８３】
これに対して、本実施の形態では、事前に患者が移動する範囲を想定しておき、複数の想定患者位置に対する計画付与線量をそれぞれ事前に計算しておく。そして、実治療中には、患者位置計測システム５からの患者位置情報を受信して、正確な変動患者位置を取得し、取得した変動患者位置と複数の想定患者位置とを照合し、変動患者位置に最も近い想定患者位置を選択する（想定患者位置選択手段２Ｃ）。
【００８４】
そして選択された想定患者位置に対応する、事前に計算しておいた想定患者位置付与線量Ａｄが治療に使用される。このことにより、実治療中には、あたかも変動患者位置におけるリアルタイム線量評価が実現されて照射制御が継続されるかのごとくの治療を実施することができる。
【００８５】
想定される患者の位置変化は１０条件程度と見込まれ、最大でも２０条件を超えることはないと考えられる（これ以上の変動範囲になると、照射位置から大きく外れるため、実際の治療では一旦照射を中断して患者を元の位置に戻して後、照射を再開せざるを得ないことになる）。
２０条件を事前に想定して計算しておく場合、上記の通り１条件の計算時間が３０分として、約６００分＝１０時間程度で完了する。治療計画は、実際の治療を実施する１週間程度前に立てられるため、１０時間の計算時間を要しても、十分治療当日までにすべての想定患者位置条件での線量評価を完了して想定患者位置付与線量２Ａｄを記憶手段２Ａに記憶させて準備しておくことができる。
【００８６】
図１２は、治療計画システム２を用い、事前に想定患者位置１、２における線量評価を行っている状況を示す模式図である。
治療計画における理想患者位置２Ａａに対するビームの照射方向、その結果付与される線量評価グラフ、実治療中に患者がおそらく取るであろうと想定される、想定患者位置１、２に対するビームの照射方向、その結果付与される線量評価グラフを示している。
そして、想定患者位置１〜２０についてそれぞれ線量評価が事前に実施され、これらデータが紐づけされて記憶手段２Ａに記憶される。
【００８７】
図１３は、治療計画システム２における理想患者位置２Ａａに実際の患者位置を一致させる方法を説明するための外観図及び模式図である。
【００８８】
患者の頭部には、マーカーが取り付けられている。これらマーカーを目印に、理想患者位置２Ａａに実際の患者位置を一致させてゆく工程を示している。これらマーカーのすべてを一致させることより、理想患者位置２Ａａに実際の患者位置を一致させようとすると、頭部上のマーカー位置に少しのずれでも生じると、一致させることが不可能になってしまう。このため、本実施の形態では、これらマーカーのすべてを一致させる方法は採用せず、これらマーカーの重心点を求め、さらに重心点から所定方向に延びるベクトルを生成し、これら重心点及びベクトルとの一致点を見出すことにより、正確かつ容易に理想患者位置２Ａａに実際の患者位置を一致させる構成としている。
【００８９】
図１４は、治療計画システム２で導いた理想の患者位置（左）と、実際の治療時における患者位置を実測した結果（右）とを比較したものである。患者の位置を特定するための点として、この例では、「右外眼角」、「右外耳孔」、「鼻尖」を採用した例を示している。
右側の実際の治療時の測定では、実際の患者上の同一点を実測し、その測定座標と理想の照射位置での座標との差分を示している。
【００９０】
図１５は、実治療中の患者位置の一例を用い、線量評価の実施方法を説明するための表を含む模式図である。
図１５は、治療計画システム２で求めた理想の照射条件下で照射した各部位における線量率の結果（左下）と、図１４の右側に示した患者位置の実測データを、治療計画システム２に読み込ませて、理想患者位置２Ａａに実際の患者位置を移動させて再線量評価して算出した各部位における線量率の結果（右下）とを示している。
【００９１】
実際の位置条件を再現した結果、患者は理想患者位置２Ａａに対して頭頂部が約７度ビーム側に傾き、かつ、病巣領域の中心が、ビームの中心に対して、約３ミリメートル下方向に移動していることが確認できた。
【００９２】
この条件で、再線量評価を実施した結果、病巣領域、皮膚、及び、脳の最大線量率、平均線量率が約７パーセントから１４パーセント低下することが確認できる。
照射時間も理想条件の場合は、４５．９分で治療を完了する計画に対して、実際の患者位置を再現した条件では、照射時間が、４８．９分必要という結果になっている。
これは、患者位置の変化によって、各部位への線量率が低下したため、プラス３分の照射を追加する必要が生じたことを示している。
【００９３】
この例は、１回の患者位置の測定、再線量評価、照射時間の修正の実施例であるが、実際の治療においては、患者位置の変動のたびに再線量評価を再現し、線量評価を高精度化してゆく。
【００９４】
図１６は、本発明の実施の形態１に係る治療計画システム２における実治療開始前の想定患者位置における線量評価を実施しておく際の制御部の制御動作を示すフローチャート図である。
【００９５】
まず、ステップＳ１において、各患者毎の病巣情報などを取り込み、患者毎の理想的治療条件、例えば、照射時間、ビーム照射角度、単位ホウ素濃度当たりの照射時間などを決定し、患者毎の理想的治療計画を作成する。
【００９６】
次に、ステップＳ２において、想定患者位置の設定数ｎが２０に達したか否かを判定する。
ステップＳ２において、想定患者位置の設定数ｎが２０に達したと判断されると工程を終了する一方、想定患者位置の設定数ｎが２０に達していないと判断されると、次に、ステップＳ３に進む。
【００９７】
ステップＳ３においては、想定患者位置の設定数ｎを１から開始させる。
次に、ステップＳ４に進み、ステップＳ４においては、想定患者位置ｎでの付与線量率を計算する。この計算には、上記したように計算精度の高いモンテカルロ法を採用する。
【００９８】
次に、ステップＳ５に進み、ステップＳ５においては、これら想定患者位置、想定患者位置における付与線量率、ホウ素濃度を、紐付けして記憶手段２Ａにメモリーしておく。
【００９９】
次に、ステップＳ６において、想定患者位置の設定数ｎを一つプラスした後、ステップＳ２に戻る。
この動作を想定患者位置の設定数ｎが２０に達するまで繰り返し、想定患者位置の設定数ｎが２０に達したと判断されると工程を終了する
【０１００】
図１７は、本発明の実施の形態１に係るＢＮＣＴシステムにおいて、実治療開始後に実行される制御動作を示すフローチャート図である。
【０１０１】
まず、ステップＳ１０において、患者位置計測システム５を用いながら、患者を患者保持装置６上の求めておいた理想患者位置２Ａａに正確に保持させる。
次に、ステップＳ１１において、照射直前の血中ホウ素濃度測定値から推定された推定平均ホウ素濃度情報を取り込む。
【０１０２】
次に、ステップＳ１２において、計画付与線量で中性子線の照射を開始する。
次に、ステップＳ１３に進み、ステップＳ１３においては、患者位置計測システム５からの患者位置変動信号５ｓを受信したか否かを判断する。患者位置変動信号５ｓを受信したと判断するとステップＳ１４に進む一方、患者位置変動信号５ｓを受信していないと判断すると、ステップＳ１３に戻る。
【０１０３】
ステップＳ１４においては、患者位置計測システム５から患者位置の現在値を取り込む。
次に、ステップＳ１５において、ステップＳ１４で取り込まれた治療時における現在の患者位置と、記憶手段２Ａに記憶されている想定患者位置とを比較する。
【０１０４】
次に、ステップＳ１６において、前のステップＳ１５において比較した結果の、現在の患者位置に最も近い想定患者位置を選択する。
【０１０５】
次に、ステップＳ１７では、ステップＳ１６において選択した想定患者位置に関する、付与線量率を、記憶手段２Ａから呼び出す。
次に、ステップＳ１８では、今までに照射された線量を積算する。
次に、ステップＳ１９では、積算された線量が治療計画システムで計画された計画付与線量に達したか否かが判断される。計画付与線量に達したと判断されると、照射を終了し、他方、計画付与線量に未だ達していないと判断されると、ステップＳ１３に戻る。
【０１０６】
図１８は、本発明の実施の形態１に係る治療計画システムを含むＢＮＣＴシステムにおける制御動作の全体を模式的に示す外観図である。
【０１０７】
患者は、患者位置計測システムを用いながら、患者保持装置上の理想患者位置に正確に保持される。
中性子線の照射直前には、血中のホウ素濃度が測定され、この測定値から推定された推定平均ホウ素濃度情報が治療計画システムに入力される。図に示されている推定平均ホウ素濃度は１５ppmである。
【０１０８】
計画付与線量で中性子線の照射が開始されると、患者位置計測システムからは、患者位置情報（重心＆ベクトル）が治療計画システム側に常に送信され、治療計画システム側では、患者位置の変動を正確に判断することができる。
【０１０９】
患者位置変動信号を受信したと判断すると、患者位置計測システムからの患者位置信号に基づいて現在値を判断し、記憶手段２Ａに記憶されている想定患者位置（本実施の形態では２０個）と比較する。
比較した結果、現在の患者位置に最も近い想定患者位置が選択される。
【０１１０】
次に、選択された想定患者位置に関する、付与線量、想定患者位置に位置する患者に付与される付与線量の計画付与線量に対する比率、算出された付与線量率を照射時間に換算した照射時間が、記憶手段２Ａから呼び出される。
【０１１１】
次に、呼び出された照射時間に基づいて実治療における照射時間が調整される。
照射制御システム側では、今までに照射された照射時間を積算してゆき、積算された照射時間が治療計画システムで計画された計画付与線量に達したか否かが判断される。計画付与線量に達したと判断されると、照射を終了させる制御を実行し、他方、計画付与線量に未だ達していないと判断されると、照射を継続させる。
【０１１２】
図１８に示されたものでは、最終的に照射時間が６２分で治療を終えている。
この照射時間は、図９に示した治療計画の段階の照射時間５０分よりも１２分延長されており、計画付与線量が確保されたと認められる結果となっている。
【０１１３】
図１９は、本発明の実施の形態２に係る治療計画システムを含むＢＮＣＴシステムにおける制御動作の全体を模式的に示す外観図である。
【０１１４】
実施の形態２においては、患者は治療に理想とされる理想患者位置を照射中は維持していると仮定する一方、ホウ素濃度は、照射中に想定されるホウ素濃度変化値を複数推定し、予めそれぞれのホウ素濃度での線量計算が実施され、記憶手段にメモリされている状況で照射が開始される。
【０１１５】
患者は、患者位置計測システムを用いながら、患者保持装置上の理想患者位置に正確に保持される。
中性子線の照射直前には、血中のホウ素濃度が測定され（２６ppm）、この測定値から推定された推定段階的減少ホウ素濃度値情報が治療計画システムに入力される。図に示されている推定段階的減少ホウ素濃度値は、２５ppm、１６ppm、１２ppmとなっている。
【０１１６】
計画付与線量で中性子線の照射が開始されると、推定段階的減少ホウ素濃度値に基づく付与線量、付与線量の計画付与線量に対する比率、算出された付与線量率を照射時間に換算した照射時間が、記憶手段２Ａから呼び出される。
【０１１７】
照射制御システム側では、呼び出された照射時間に基づいて実治療における照射時間を調整し、各ホウ素濃度区間に照射されてゆく照射時間を積算してゆき、積算された照射時間が治療計画システムで計画された計画付与線量に達したか否かを判断する。計画付与線量に達したと判断されると、照射を終了させる制御を実行し、他方、計画付与線量に未だ達していないと判断されると、照射を継続させる。
【０１１８】
図１９に示されたものでは、最終的に照射時間が６３分で治療を終えている。
この照射時間は、図９に示した治療計画の段階の照射時間５０分よりも１３分延長されており、計画付与線量が確保されたと認められる結果となっている。
【０１１９】
図２０は、本発明の実施の形態２に係る治療計画システム２を含むＢＮＣＴシステム１の全体を概略的に示した機能ブロック図である。
【０１２０】
治療計画システム２は、記憶手段２Ａ、理想患者位置付与線量算出手段２Ｂ１、想定ホウ素濃度付与線量算出手段２Ｂ２、及び推定段階的減少ホウ素濃度選択手段２Ｃ１を含んで構成されている。
記憶手段２Ａには、理想患者位置２Ａａ、推定段階的減少ホウ素濃度値２Ａｆ、想定ホウ素濃度付与線量２Ａｇ、照射時推定段階的減少ホウ素濃度値２Ａｈなどが記憶されるようになっている。    
【０１２１】
ここでいう理想患者位置２Ａａとは、それぞれの患者毎に決定される中性子線照射装置４の中性子線の照射口４Ａに対する位置であって、当該患者にとっての中性子線治療のための理想的位置と考えられる位置を意味している。
【０１２２】
推定段階的減少ホウ素濃度値２Ａｆは、照射直前の血中ホウ素濃度測定値から薬物動態法などに基づいて推定される複数のホウ素濃度値のことを意味している。
想定ホウ素濃度付与線量２Ａｇは、照射直前の血中ホウ素濃度測定値に最も近い推定段階的減少ホウ素濃度値に基づくホウ素濃度付与線量を意味している。
照射時推定段階的減少ホウ素濃度値２Ａｈは、推定される複数の段階的減少ホウ素濃度値の中の、実際の照射時に選択されるものを意味している。
【０１２３】
理想患者位置付与線量算出手段２Ｂ１は、理想患者位置を取り込み、理想患者位置における計画付与線量を算出しておく算出手段であって、算出された理想患者位置付与線量は記憶手段２Ａに記憶される。
この理想患者位置付与線量の算出には、計算精度の高いモンテカルロ法が採用されている。
【０１２４】
本実施の形態２では、事前に推定段階的減少ホウ素濃度値２Ａｆの範囲を想定しておき、複数の推定段階的減少ホウ素濃度値２Ａｆに対する計画付与線量をそれぞれ事前に計算してメモリしておく。
【０１２５】
そして、実治療中には、複数の推定段階的減少ホウ素濃度値２Ａｆの中から、照射直前の血中ホウ素濃度測定値に最も近い推定段階的減少ホウ素濃度値を選択し、選択された推定段階的減少ホウ素濃度値に対する事前に計算された計画付与線量に基づいて照射時間を制御してゆく。
【０１２６】
このことにより、実治療中には、あたかも推定段階的減少ホウ素濃度値に基づくリアルタイム線量評価が実現されて照射制御がなされるかのごとくの治療を実施することができる。
【０１２７】
想定される推定段階的減少ホウ素濃度値は１０条件程度と見込まれ、より細かく想定しても最大で２０条件を超えることはないと考えられる。
２０条件を事前に想定して計算しておく場合、１条件の計算時間が１０分として、約２００分＝３時間２０分程度で完了する。治療計画は、実際の治療を実施する１週間程度前に立てられるため、３時間を少し超える計算時間を要しても、十分治療当日までにすべての想定される推定段階的減少ホウ素濃度値に基づく線量評価を完了して想定ホウ素濃度付与線量２Ａｇを記憶手段２Ａに記憶させて準備しておくことができる。
【０１２８】
図２１（ａ）は、本発明の実施の形態２に係る治療計画システム２における実治療開始前の線量評価を実施しておく際の制御部の制御動作を示すフローチャート図である。
【０１２９】
まず、ステップＳ２１において、各患者毎の病巣情報などを取り込み、患者毎の理想的治療条件、例えば、照射時間、ビーム照射角度、単位ホウ素濃度当たりの照射時間などを決定し、患者毎の理想的治療計画を作成しておく。
また、推定される複数のホウ素濃度値の段階的変化値を取り込んでおく。
【０１３０】
次に、ステップＳ２２において、各段階的ホウ素濃度値に基づく線量率の計算を実施する。
ステップＳ２２においては、段階的ホウ素濃度値として２０を上限として設定する。
【０１３１】
ステップＳ２３においては、これら段階的ホウ素濃度値、各段階的ホウ素濃度値に基づく付与線量、付与線量の計画付与線量に対する比率を、紐付けして記憶手段２Ａにメモリーしておく。
【０１３２】
図２１（ｂ）は、本発明の実施の形態２に係るＢＮＣＴシステムにおいて、実治療開始後に実行される制御動作を示すフローチャート図である。
【０１３３】
まず、ステップＳ２５において、患者位置計測システム５を用いながら、患者を患者保持装置６上の求めておいた理想患者位置２Ａａに正確に保持させる。
次に、照射直前の血中ホウ素濃度測定値を基に、照射開始時のホウ素濃度を推定する。
【０１３４】
次に、ステップＳ２６において、ホウ素濃度情報を治療計画システム側へ送信する。
【０１３５】
次に、ステップＳ２７に進み、ステップＳ２７においては、薬物動態法、即発γ線測定法、もしくはＰＧ−ＳＰＥＣＴ法によりホウ素濃度を推定する。
次に、ステップＳ２８に進み、ステップＳ２８では、決定されたホウ素濃度値に対応する、事前に計算され、メモリされている線量値を取得する。
【０１３６】
次に、ステップＳ２９に進み、ステップＳ２９では、線量が積算される。
次に、ステップＳ３０では、積算された線量が治療計画システムで計画された計画付与線量に達したか否かが判断され、計画付与線量に達したと判断されると、照射を終了し、他方、計画付与線量に未だ達していないと判断されると、ステップＳ２７に戻る。
【０１３７】
図２２は、本発明の実施の形態３に係る治療計画システムを含むＢＮＣＴシステムにおける制御動作の全体を模式的に示す外観図である。
【０１３８】
実施の形態３においては、事前に患者が移動する範囲を想定しておき、複数の想定患者位置に対する計画付与線量がそれぞれ事前に計算されており、ホウ素濃度は、照射中に想定されるホウ素濃度変化値を複数推定し、予めそれぞれのホウ素濃度での線量計算が実施され、複数の想定患者位置それぞれと紐付けされて、記憶手段にメモリされている状況で照射が開始される。
【０１３９】
患者は、患者位置計測システムを用いながら、患者保持装置上の理想患者位置に正確に保持される。
中性子線の照射直前には、血中のホウ素濃度が測定され（２６ppm）、この測定値から推定された推定段階的減少ホウ素濃度値情報が治療計画システムに入力される。図に示されている推定段階的減少ホウ素濃度値は、２５ppm、１６ppm、１２ppmとなっている。
【０１４０】
計画付与線量で中性子線の照射が開始されると、患者位置計測システムからは、患者位置情報（重心＆ベクトル）が治療計画システム側に常に送信され、治療計画システム側では、患者位置の変動を正確に判断することができる。
【０１４１】
患者位置変動信号を受信したと判断すると、患者位置計測システムからの患者位置信号に基づいて現在値を判断し、記憶手段２Ａに記憶されている想定患者位置（本実施の形態では２０個）と比較する。
比較した結果、現在の患者位置に最も近い想定患者位置が選択される。
【０１４２】
次に、選択された想定患者位置に関する、付与線量、想定患者位置に位置する患者に付与される付与線量の計画付与線量に対する比率、算出された付与線量率を照射時間に換算した照射時間が、記憶手段２Ａから呼び出される。
併せて、推定段階的減少ホウ素濃度値に基づく付与線量、付与線量の計画付与線量に対する比率、算出された付与線量率を照射時間に換算した照射時間が、記憶手段２Ａから呼び出される。
【０１４３】
次に、呼び出された照射時間に基づいて実治療における照射時間が調整される。
照射制御システム側では、現在の患者位置、及び推定段階的減少ホウ素濃度値の両者が考慮された、照射時間を積算してゆき、積算された照射時間が治療計画システムで計画された計画付与線量に達したか否かが判断される。計画付与線量に達したと判断されると、照射を終了させる制御を実行し、他方、計画付与線量に未だ達していないと判断されると、照射を継続させる。
【０１４４】
図２２に示されたものでは、最終的に照射時間が６４分で治療を終えている。
この照射時間は、図９に示した治療計画の段階の照射時間５０分よりも１４分延長されており、計画付与線量が確保されたと認められる結果を示している。
【０１４５】
図２３は、本発明の実施の形態３に係る治療計画システム２を含むＢＮＣＴシステム１の全体構成を概略的に示す機能ブロック図である。
【０１４６】
治療計画システム２は、記憶手段２Ａ、想定患者位置付与線量算出手段２Ｂ、想定患者位置選択手段２Ｃ、理想患者位置付与線量算出手段２Ｂ１、想定ホウ素濃度付与線量算出手段２Ｂ２、及び推定段階的減少ホウ素濃度選択手段２Ｃ１を含んで構成されている。
【０１４７】
記憶手段２Ａには、理想患者位置２Ａａ、想定患者位置２Ａｃ、想定患者位置付与線量２Ａｄ、推定段階的減少ホウ素濃度値２Ａｆ、想定ホウ素濃度付与線量２Ａｇ、照射時推定段階的減少ホウ素濃度値２Ａｈなどが記憶されるようになっている。    
【０１４８】
想定患者位置２Ａｃは、各々の患者に特有のその患者が治療中に取る確率が高いと想定される少なくとも１以上の患者位置であって、治療開始前に想定される患者位置を意味している。
推定段階的減少ホウ素濃度値２Ａｆは、照射直前の血中ホウ素濃度測定値から薬物動態法などに基づいて推定される複数のホウ素濃度値のことを意味している。
【０１４９】
想定ホウ素濃度付与線量２Ａｇは、照射直前の血中ホウ素濃度測定値に最も近い推定段階的減少ホウ素濃度値に基づくホウ素濃度付与線量を意味している。
照射時推定段階的減少ホウ素濃度値２Ａｈは、推定される複数の段階的減少ホウ素濃度値の中の、実際の照射時に選択されるものを意味している。
【０１５０】
想定患者位置付与線量算出手段２Ｂは、各想定患者位置を取り込み、各想定患者位置における計画付与線量を算出しておく算出手段であって、算出された各想定患者位置付与線量２Ａｄは記憶手段２Ａに記憶される。
この想定患者位置付与線量２Ａｄの算出には、計算精度の高いモンテカルロ法が採用されている。
【０１５１】
本実施の形態３では、事前に患者が移動する範囲を想定しておき、複数の想定患者位置に対する計画付与線量をそれぞれ事前に計算しておく。そして、実治療中には、患者位置計測システム５からの患者位置情報を受信して、正確な変動患者位置を取得し、取得した変動患者位置と複数の想定患者位置とを照合し、変動患者位置に最も近い想定患者位置を選択する（想定患者位置選択手段２Ｃ）。
【０１５２】
そして選択された想定患者位置に対応する、事前に計算しておいた想定患者位置付与線量Ａｄが治療に使用される。このことにより、実治療中には、あたかも変動患者位置におけるリアルタイム線量評価が実現されて照射制御が継続されるかのごとくの治療を実施することができる。
【０１５３】
理想患者位置付与線量算出手段２Ｂ１は、理想患者位置を取り込み、理想患者位置における計画付与線量を算出しておく算出手段であって、算出された理想患者位置付与線量は記憶手段２Ａに記憶される。
この理想患者位置付与線量の算出には、計算精度の高いモンテカルロ法が採用されている。
【０１５４】
本実施の形態３では、事前に推定段階的減少ホウ素濃度値２Ａｆの範囲を想定しておき、複数の推定段階的減少ホウ素濃度値２Ａｆに対する計画付与線量をそれぞれ事前に計算してメモリしておく。
【０１５５】
そして、実治療中には、複数の推定段階的減少ホウ素濃度値２Ａｆの中から、照射直前の血中ホウ素濃度測定値に最も近い推定段階的減少ホウ素濃度値を選択し、選択された推定段階的減少ホウ素濃度値に対する事前に計算された計画付与線量に基づいて照射時間を制御してゆく。
【０１５６】
このことにより、実治療中には、あたかも推定段階的減少ホウ素濃度値に基づくリアルタイム線量評価が実現されて照射制御がなされるかのごとくの治療を実施することができる。
【０１５７】
図２４（ａ）は、本発明の実施の形態３に係る治療計画システム２における実治療開始前に事前に線量評価を実施しておく際の制御部の制御動作を示すフローチャート図である。
【０１５８】
まず、ステップＳ３１において、各患者毎の病巣情報などを取り込み、患者毎の理想的治療条件、例えば、照射時間、ビーム照射角度、単位ホウ素濃度当たりの照射時間などを決定し、患者毎の理想的治療計画を作成する。
【０１５９】
次に、ステップＳ３２において、想定患者位置の設定数ｎが２０に達したか否かを判定する。
ステップＳ３２において、想定患者位置の設定数ｎが２０に達したと判断されると工程を終了する一方、想定患者位置の設定数ｎが２０に達していないと判断されると、次に、ステップＳ３３に進む。
【０１６０】
ステップＳ３３においては、想定患者位置の設定数ｎを１から開始させる。
次に、ステップＳ３４に進み、ステップＳ３４においては、想定患者位置ｎでの付与線量率を計算する。この計算には、上記したように計算精度の高いモンテカルロ法を採用する。
【０１６１】
次に、ステップＳ３５に進み、ステップＳ３５においては、理想患者位置２Ａａと想定患者位置とから、想定患者位置に位置する患者に付与される付与線量の計画付与線量に対する比率を算出する。
【０１６２】
そして、ステップＳ３６において、推定される複数のホウ素濃度値の段階的変化値を取り込んでおく。
【０１６３】
次に、ステップＳ３７において、各段階的ホウ素濃度値に基づく線量率を計算する。
ステップＳ３７においては、段階的ホウ素濃度値として２０を上限として設定する。
【０１６４】
次に、ステップＳ３８において、これら想定患者位置、ホウ素濃度、及び各段階的ホウ素濃度値線量率を、紐付けして記憶手段２Ａにメモリーしておく。
【０１６５】
次に、ステップＳ３９において、想定患者位置の設定数ｎを一つプラスした後、ステップＳ３２に戻る。
この動作を想定患者位置の設定数ｎが２０に達するまで繰り返し、想定患者位置の設定数ｎが２０に達したと判断されると工程を終了する
【０１６６】
図２４（ｂ）は、本発明の実施の形態３に係るＢＮＣＴシステムにおいて、実治療開始後に実行される制御動作を示すフローチャート図である。
【０１６７】
まず、ステップＳ４１において、患者位置計測システム５を用いながら、患者を患者保持装置６上の求めておいた理想患者位置２Ａａに正確に保持させる。
次に、ステップＳ４２において、照射直前の血中ホウ素濃度測定値から照射開始時のホウ素濃度を推定する。
【０１６８】
次に、ステップＳ４３において、計画付与線量で中性子線の照射を開始する。
次に、ステップＳ４４に進み、ステップＳ４４においては、患者位置計測システム５からの患者位置変動信号５ｓを受信したか否かを判断する。患者位置変動信号５ｓを受信したと判断するとステップＳ４５に進む一方、患者位置変動信号５ｓを受信していないと判断すると、ステップＳ５１に進む。
【０１６９】
ステップＳ４５においては、患者位置計測システム５から患者位置の現在値を取り込む。
次に、ステップＳ４６において、ステップＳ４５で取り込まれた治療時における現在の患者位置と、記憶手段２Ａに記憶されている想定患者位置とを比較する。
次に、ステップＳ４７において、前のステップＳ４６において比較した結果の、現在の患者位置に最も近い想定患者位置を選択する。
【０１７０】
次に、ステップＳ４８では、ホウ素濃度を推定する。
次に、ステップＳ４９において、選択された想定患者位置、及びその時のホウ素濃度での線量率を呼び出す。
【０１７１】
次に、ステップＳ５０では、線量を積算する。
次に、ステップＳ５１に進み、ステップＳ５１では、積算された線量が治療計画システムで計画された計画付与線量に達したか否かが判断される。計画付与線量に達したと判断されると、照射を終了し、他方、計画付与線量に未だ達していないと判断されると、ステップＳ４４に戻る。
【０１７２】
図２５は、本発明の実施の形態４に係る治療計画システム２を含むＢＮＣＴシステム１における制御動作の全体を模式的に示す外観図である。
【０１７３】
患者は、患者位置計測システムを用いながら、患者保持装置上の理想患者位置に正確に保持される。
中性子線の照射直前には、血中のホウ素濃度が測定され、この測定値から推定された推定平均ホウ素濃度情報が治療計画システムに入力される。図に示されている推定平均ホウ素濃度は１５ppmである。
【０１７４】
計画付与線量で中性子線の照射が開始されると、患者位置計測システムからは、患者位置情報（重心＆ベクトル）が治療計画システム側に常に送信され、治療計画システム側では、患者位置の変動を正確に判断することができる。
【０１７５】
患者位置変動信号を受信したと判断すると、患者位置計測システムからの患者位置信号に基づいて現患者位置を判断し、現患者位置に基づく計算モデル条件を再現して線量評価を高速計算する。この高速計算には、図示したようなスーパーコンピューターレベルのものが使用される。
【０１７６】
照射制御システム側では、今までに照射された線量を積算してゆき、積算された線量が治療計画システムで計画された計画付与線量に達したか否かが判断される。計画付与線量に達したと判断されると、照射を終了させる制御を実行し、他方、計画付与線量に未だ達していないと判断されると、照射を継続させる。
【０１７７】
図２５に示されたものでは、最終的に照射時間が６２．５分で治療を終えている。
この照射時間は、図９に示した治療計画の段階の照射時間５０分よりも１２．５分延長されており、計画付与線量が確保されたと認められる結果となっている。
【０１７８】
図２６は、本発明の実施の形態４に係る治療計画システム２を含むＢＮＣＴシステム１の全体を概略的に示した機能ブロック図である。
【０１７９】
治療計画システム２は、記憶手段２Ａ、及び変動患者位置付与線量高速算出手段２Ｂ４を含んで構成されている。
記憶手段２Ａには、理想患者位置２Ａａ、想定平均ホウ素濃度値２Ａｂ、変動患者位置２Ａｊ、変動患者位置付与線量２Ａｋ、照射時平均ホウ素濃度２Ａｅなどが記憶されるようになっている。    
【０１８０】
ここでいう理想患者位置２Ａａとは、それぞれの患者毎に決定される中性子線照射装置４の中性子線の照射口４Ａに対する位置であって、当該患者にとっての中性子線治療のための理想的位置と考えられる位置を意味している。
また、理想患者位置２Ａａにおいて計算される治療のための理想的付与線量を計画付与線量という。
【０１８１】
想定平均ホウ素濃度２Ａｂは、患者の体格などを考慮して治療開始前にそれぞれの患者毎に対応させて決定しておく治療中に想定される平均ホウ素濃度を意味している。
照射時平均ホウ素濃度値２Ａｅは、照射直前の血中ホウ素濃度の測定値から推定されるホウ素濃度であって、実治療の際の線量の計算に用いられるものを意味している。
【０１８２】
変動患者位置付与線量高速算出手段２Ｂ４は、変動患者位置を取り込み、各変動患者位置における付与線量を高速で算出しておくスーパーコンピューターなどで構成される算出手段であって、算出された各変動患者位置付与線量２Ａｋは記憶手段２Ａに一旦記憶される。
この変動患者位置付与線量２Ａｋの算出は、変動患者位置に基づく計算モデル条件を再現して線量評価を高速計算することによって行われる。
【０１８３】
図２７（ａ）は、本発明の実施の形態４に係る治療計画システム２における実治療開始前の理想患者位置における線量評価を実施しておく際の制御部の制御動作を示すフローチャート図である。
【０１８４】
ステップＳ６０において、各患者毎の病巣情報などを取り込み、患者毎の理想的治療条件、例えば、照射時間、ビーム照射角度、単位ホウ素濃度当たりの照射時間などを決定し、患者毎の理想的治療計画を作成する。
ホウ素濃度は、上記した想定平均ホウ素濃度２Ａｂが使用される。
【０１８５】
図２７（ｂ）は、本発明の実施の形態４に係るＢＮＣＴシステムにおいて、実治療開始後に実行される制御動作を示すフローチャート図である。
【０１８６】
まず、ステップＳ６１において、患者位置計測システム５を用いながら、患者を患者保持装置６上の求めておいた理想患者位置２Ａａに正確に保持させる。
次に、ステップＳ６２において、照射直前の血中ホウ素濃度測定値から推定された推定平均ホウ素濃度情報を取り込む。
【０１８７】
次に、ステップＳ６３において、計画付与線量で中性子線の照射を開始する。
次に、ステップＳ６４に進み、ステップＳ６４においては、患者位置計測システム５からの患者位置変動信号５ｓを受信したか否かが判断される。患者位置変動信号５ｓを受信したと判断するとステップＳ６５に進む一方、患者位置変動信号５ｓを受信していないと判断すると、ステップＳ６８に進む。
【０１８８】
ステップＳ６５においては、患者位置計測システム５から患者位置の現在値、すなわち変動患者位置を取り込む。
次に、ステップＳ６６において、ステップＳ６５で取り込まれた治療時における現在の患者位置（変動患者位置）を治療計画システム側へ送信する。
【０１８９】
治療時における現在の患者位置（変動患者位置）を受信した治療計画システムは、次に、ステップＳ６７において、変動患者位置に基づく計算モデル条件を再現して線量を高速計算する。この高速計算には、図示したようなスーパーコンピューターレベルのものが使用される。
【０１９０】
次に、ステップＳ６８では、今までに照射された線量を積算する。
次に、ステップＳ６９では、積算された線量が治療計画システムで計画された計画付与線量に達したか否かが判断される。計画付与線量に達したと判断されると、照射を終了し、他方、計画付与線量に未だ達していないと判断されると、ステップＳ６４に戻る。
【０１９１】
図２８は、本発明の実施の形態５に係る治療計画システムを含むＢＮＣＴシステムにおける制御動作の全体を模式的に示す外観図である。
【０１９２】
実施の形態５においては、患者は治療に理想とされる理想患者位置を照射中は維持していると仮定する一方、ホウ素濃度は、逐次計測し、計測濃度変化に対応させて、計算モデル中のホウ素濃度を変化させて線量計算を実施する。
【０１９３】
患者は、患者位置計測システムを用いながら、患者保持装置上の理想患者位置に正確に保持される。
中性子線の照射直前には、血中のホウ素濃度が測定され（２６ppm）、この測定値から照射開始時のホウ素濃度は推定される。
【０１９４】
実治療中には、薬物動態法、即発γ線測定法、あるいはＰＧ−ＳＰＥＣＴ法等の測定法の中から選ばれた測定法による測定値が逐次、治療計画システムに送信される。
測定値を取り込んだ治療計画システムでは、計測濃度変化に対応させて、計算モデル中のホウ素濃度を変化させて線量計算を実施する。
図に示されている測定ホウ素濃度値は、２５ppm、２０ppm、１７ppm、１５ppm、１３．５ppmなどの値となっている。
【０１９５】
照射制御システム側では、計算された線量を積算してゆき、積算された線量が治療計画システムで計画された計画付与線量に達したか否かを判断し、計画付与線量に達したと判断すると、照射を終了させる制御を実行し、他方、計画付与線量に未だ達していないと判断すると、照射を継続させる。
【０１９６】
図２８に示されたものでは、最終的に照射時間が６３．５分で治療を終えている。
この照射時間は、図９に示した治療計画の段階の照射時間５０分よりも１３．５分延長されており、計画付与線量が確保されたと認められる結果となっている。
【０１９７】
図２９は、本発明の実施の形態５に係る治療計画システムを含むＢＮＣＴシステムの全体構成を概略的に示す機能ブロック図である。
【０１９８】
治療計画システム２は、記憶手段２Ａ、及び理想患者位置・ホウ素濃度逐次計測値付与線量高速算出手段２Ｂ５を含んで構成されている。
記憶手段２Ａには、理想患者位置２Ａａ、薬物動態法、即発γ線測定法、あるいはＰＧ−ＳＰＥＣＴ法等の測定法の中から選ばれた測定法による逐次計測値２Ａｍ、高速算出付与線量値２Ａｎなどが記憶されるようになっている。    
【０１９９】
ここでいう理想患者位置２Ａａとは、それぞれの患者毎に決定される中性子線照射装置４の中性子線の照射口４Ａに対する位置であって、当該患者にとっての中性子線治療のための理想的位置と考えられる位置を意味している。
また、理想患者位置２Ａａにおいて計算される治療のための理想的付与線量を計画付与線量という。
【０２００】
理想患者位置・ホウ素濃度逐次計測値付与線量高速算出手段２Ｂ５は、ホウ素濃度逐次計測値を取り込み、ホウ素濃度逐次計測値における付与線量を高速で算出するスーパーコンピューターなどで構成される算出手段であって、算出された高速算出付与線量値２Ａｎは記憶手段２Ａに一旦記憶される。
この高速算出付与線量値２Ａｎは、ホウ素濃度逐次計測値に基づく計算モデル条件を再現して線量評価を高速計算することによって算出される。
【０２０１】
図３０（ａ）は、本発明の実施の形態５に係る治療計画システム２における実治療開始前の理想患者位置における線量評価を実施しておく際の制御部の制御動作を示すフローチャート図である。
【０２０２】
ステップＳ７０において、各患者毎の病巣情報などを取り込み、患者毎の理想的治療条件、例えば、照射時間、ビーム照射角度、単位ホウ素濃度当たりの照射時間などを決定し、患者毎の理想的治療計画を作成する。
【０２０３】
図３０（ｂ）は、本発明の実施の形態５に係るＢＮＣＴシステムにおいて、実治療開始後に実行される制御動作を示すフローチャート図である。
【０２０４】
まず、ステップＳ７１において、患者位置計測システム５を用いながら、患者を患者保持装置６上の求めておいた理想患者位置２Ａａに正確に保持させる。
併せて、照射直前の血中ホウ素濃度測定値を基に、照射開始時のホウ素濃度を推定する。
【０２０５】
次に、ステップＳ７２において、薬物動態法、即発γ線測定法、もしくはＰＧ−ＳＰＥＣＴ法によるホウ素濃度推定値をＴＰＳへ送信する。
次に、ステップＳ７３に進み、ステップＳ７３においては、ＴＰＳにおいて理想患者位置・ホウ素濃度逐次計測値の条件で、計算モデル条件を再現して高速線量計算を実施し、その計算結果を照射制御システムへ送信する。この高速計算には、図示したようなスーパーコンピューターレベルのものが使用される。
次に、ステップＳ７４では、今までに照射された線量を積算する。
【０２０６】
次に、ステップＳ７５では、積算された線量が治療計画システムで計画された計画付与線量に達したか否かが判断される。計画付与線量に達したと判断されると、照射を終了し、他方、計画付与線量に未だ達していないと判断されると、ステップＳ７２に戻る。
【０２０７】
図３１は、本発明の実施の形態６に係る治療計画システムを含むＢＮＣＴシステムにおける制御動作の全体を模式的に示す外観図である。
【０２０８】
実施の形態６においては、患者位置は、患者位置計測システムにより逐次計測され、ホウ素濃度も、逐次計測され、計算モデル中の患者位置・ホウ素濃度を変化させて線量計算が実施される。
【０２０９】
患者は、患者位置計測システムを用いながら、患者保持装置上の理想患者位置に正確に保持される。
中性子線の照射直前には、血中のホウ素濃度が測定され（２６ppm）、この測定値から照射開始時のホウ素濃度は推定される。
【０２１０】
計画付与線量で中性子線の照射が開始されると、患者位置計測システムからは、患者位置情報（重心＆ベクトル）が治療計画システム側に常に送信され、治療計画システム側では、患者位置の変動を正確に判断することができる。
【０２１１】
他方、ホウ素濃度は、薬物動態法、即発γ線測定法、あるいはＰＧ−ＳＰＥＣＴ法等の測定法の中から選ばれた測定法による測定値が逐次、治療計画システムに送信される。
治療計画システムでは、患者位置計測システムからの患者位置信号に基づく現患者位置情報、及び計測濃度変化に対応させた、計算モデル条件を再現して線量評価を高速計算する。この高速計算には、図示したようなスーパーコンピューターレベルのものが使用される。
【０２１２】
照射制御システム側では、今までに照射された線量を積算してゆき、積算された線量が治療計画システムで計画された計画付与線量に達したか否かが判断される。計画付与線量に達したと判断されると、照射を終了させる制御を実行し、他方、計画付与線量に未だ達していないと判断されると、照射を継続させる。
【０２１３】
図３１に示されたものでは、最終的に照射時間が６５．０分で治療を終えている。
この照射時間は、図９に示した治療計画の段階の照射時間５０分よりも１５．０分延長されており、計画付与線量が確保されたと認められる結果となっている。
【０２１４】
図３２は、本発明の実施の形態６に係る治療計画システムを含むＢＮＣＴシステムの全体構成を概略的に示す機能ブロック図である。
【０２１５】
治療計画システム２は、記憶手段２Ａ、及び変動患者位置・ホウ素濃度逐次計測値付与線量高速算出手段２Ｂ６を含んで構成されている。
記憶手段２Ａには、理想患者位置２Ａａ、変動患者位置２Ａｊ、薬物動態法、即発γ線測定法、あるいはＰＧ−ＳＰＥＣＴ法等の測定法の中から選ばれた測定法による逐次計測値２Ａｍ、高速算出付与線量値２Ａｎなどが記憶されるようになっている。    
【０２１６】
ここでいう理想患者位置２Ａａとは、それぞれの患者毎に決定される中性子線照射装置４の中性子線の照射口４Ａに対する位置であって、当該患者にとっての中性子線治療のための理想的位置と考えられる位置を意味している。
また、理想患者位置２Ａａにおいて計算される治療のための理想的付与線量を計画付与線量という。
【０２１７】
変動患者位置・ホウ素濃度逐次計測値付与線量高速算出手段２Ｂ６は、変動患者位置及びホウ素濃度逐次計測値を取り込み、変動患者位置情報、及び計測濃度変化に対応させた、計算モデル条件を再現して線量評価を高速計算するスーパーコンピューターなどで構成される算出手段であって、算出された高速算出付与線量値２Ａｎは記憶手段２Ａに一旦記憶される。
【０２１８】
図３３（ａ）は、本発明の実施の形態６に係る治療計画システム２における実治療開始前の理想患者位置における線量評価を実施しておく際の制御部の制御動作を示すフローチャート図である。
【０２１９】
ステップＳ８０において、各患者毎の病巣情報などを取り込み、患者毎の理想的治療条件、例えば、照射時間、ビーム照射角度、単位ホウ素濃度当たりの照射時間などを決定し、患者毎の理想的治療計画を作成する。
【０２２０】
図３３（ｂ）は、本発明の実施の形態６に係るＢＮＣＴシステムにおいて、実治療開始後に実行される制御動作を示すフローチャート図である。
【０２２１】
まず、ステップＳ８１において、患者位置計測システム５を用いながら、患者を患者保持装置６上の求めておいた理想患者位置２Ａａに正確に保持させる。
次に、ステップＳ８２において、照射直前の血中ホウ素濃度測定値を基に、照射開始時のホウ素濃度を推定する。
【０２２２】
次に、ステップＳ８３において、計画付与線量で中性子線の照射を開始する。
次に、ステップＳ８４に進み、ステップＳ８４においては、患者位置計測システム５からの患者位置変動信号５ｓを受信したか否かが判断される。患者位置変動信号５ｓを受信したと判断するとステップＳ８５に進む一方、患者位置変動信号５ｓを受信していないと判断すると、ステップＳ８７に進む。
【０２２３】
ステップＳ８５においては、患者位置計測システム５から患者位置の現在値、すなわち変動患者位置を取り込む。
次に、ステップＳ８６において、ステップＳ８５で取り込まれた治療時における現在の患者位置（変動患者位置）を治療計画システム側へ送信する。
【０２２４】
次に、ステップＳ８７において、薬物動態法、即発γ線測定法、もしくはＰＧ−ＳＰＥＣＴ法によりホウ素濃度を推定する。
次に、ステップＳ８８において、ホウ素濃度の推定値をＴＰＳへ送信する。
【０２２５】
次に、ステップＳ８９においては、ＴＰＳにおいて変動患者位置・ホウ素濃度逐次計測値の条件で、計算モデル条件を再現して高速線量計算を実施し、その計算結果を照射制御システムへ送信する。この高速計算には、図示したようなスーパーコンピューターレベルのものが使用される。
次に、ステップＳ９０では、今までに照射された線量を積算してゆく。
【０２２６】
次に、ステップＳ９１では、積算された線量が治療計画システムで計画された計画付与線量に達したか否かが判断される。計画付与線量に達したと判断されると、照射を終了し、他方、計画付与線量に未だ達していないと判断されると、ステップＳ８４に戻る。
【産業上の利用分野】
【０２２７】
産業上の利用分野としては、ホウ素中性子捕捉療法（ＢＮＣＴ）用治療計画システム、ＢＮＣＴシステム及びＢＮＣＴなどの放射線外部照射治療を挙げることができる。
放射線の照射時間が長く、かつ、治療システム、治療手法が確立されていないＢＮＣＴ分野では、特に有効な技術となり得る。
【符号の説明】
【０２２８】
１        ＢＮＣＴシステム
２        治療計画システム
２Ａ      記憶手段
２Ａａ    理想患者位置
２Ａｂ    想定平均ホウ素濃度
２Ａｃ    想定患者位置
２Ａｄ    想定患者位置付与線量
２Ａｅ    照射時平均ホウ素濃度
２Ａｆ    推定段階的減少ホウ素濃度値
２Ａｇ    想定ホウ素濃度付与線量
２Ａｈ    照射時推定段階的減少ホウ素濃度値
２Ａｊ    変動患者位置
２Ａｋ    変動患者位置付与線量
２Ａｍ    即発γ線ホウ素濃度逐次計測値
２Ａｎ    高速算出付与線量値
２Ｂ      想定患者位置付与線量算出手段
２Ｂ１    理想患者位置付与線量算出手段
２Ｂ２    想定ホウ素濃度付与線量算出手段
２Ｂ４    変動患者位置付与線量高速算出手段
２Ｂ５    理想患者位置・ホウ素濃度逐次計測値付与線量高速算出手段
２Ｂ６    変動患者位置・ホウ素濃度逐次計測値付与線量高速算出手段
２Ｃ      想定患者位置選択手段
２Ｃ１    推定段階的減少ホウ素濃度選択手段
３        中性子線照射制御システム
３ａ      記憶手段
３ｂ      照射制御部
４        中性子線照射装置
４Ａ      照射口
４ａ      駆動制御部
５        患者位置計測システム
５Ａ      可視光線型カメラ
５Ｓ      患者位置変動信号
６        患者保持装置
６ａ      駆動制御部
Ｒ        中性子線治療室
Ｍ        患者
【図１】
2020111085.tif 000003
【図２】
2020111085.tif 000004
【図３】
2020111085.tif 000005
【図４】
2020111085.tif 000006
【図５】
2020111085.tif 000007
【図６】
2020111085.tif 000008
【図７】
2020111085.tif 000009
【図８】
2020111085.tif 000010
【図９】
2020111085.tif 000011
【図１０】
2020111085.tif 000012
【図１１】
2020111085.tif 000013
【図１２】
2020111085.tif 000014
【図１３】
2020111085.tif 000015
【図１４】
2020111085.tif 000016
【図１５】
2020111085.tif 000017
【図１６】
2020111085.tif 000018
【図１７】
2020111085.tif 000019
【図１８】
2020111085.tif 000020
【図１９】
2020111085.tif 000021
【図２０】
2020111085.tif 000022
【図２１】
2020111085.tif 000023
【図２２】
2020111085.tif 000024
【図２３】
2020111085.tif 000025
【図２４】
2020111085.tif 000026
【図２５】
2020111085.tif 000027
【図２６】
2020111085.tif 000028
【図２７】
2020111085.tif 000029
【図２８】
2020111085.tif 000030
【図２９】
2020111085.tif 000031
【図３０】
2020111085.tif 000032
【図３１】
2020111085.tif 000033
【図３２】
2020111085.tif 000034
【図３３】
2020111085.tif 000035
【国際調査報告】
2020111085.tif 000036
2020111085.tif 000037
2020111085.tif 000038
2020111085.tif 000039
2020111085.tif 000040
2020111085.tif 000041
2020111085.tif 000042
2020111085.tif 000043
2020111085.tif 000044
2020111085.tif 000045
2020111085.tif 000046